(57)【特許請求の範囲】
【請求項１】
非ネイティブ拡張音声サービス（ＥＶＳ）システムにおけるＥＶＳ符号化パケット互換性のための方法であって、
符号化オーディオ信号と前記符号化オーディオ信号に関連するビットレートとを取得するためにオーディオ信号を符号化すること、ここにおいて、前記オーディオ信号は、０ｋＨｚ〜２０ｋＨｚの間の可聴周波数範囲にわたる、狭帯域（ＮＢ）、広帯域（ＷＢ）、超広帯域（ＳＷＢ）、または全帯域（ＦＢ）のサポートされる帯域幅のうちの１つでサポートされる、と、
前記ビットレートに基づいて前記符号化オーディオ信号のためのソースフォーマットを確立すること、ここにおいて、前記ソースフォーマットは、ｃｄｍａ２０００  １ｘのための無線構成（ＲＣ）である、と、
パケットを生成するために、あらかじめ選択されたパターンで前記符号化オーディオ信号を再フォーマッティングすること、ここにおいて、前記パケットの容量は、前記ソースフォーマットに基づき、前記パケットが間欠送信をサポートする場合、前記再フォーマッティングすることは、前記間欠送信中に前記パケットを生成するために１つまたは複数のヌルフレームで前記符号化オーディオ信号を再フォーマッティングすることを備える、と、
被変調波形を生成するために前記パケットを変調することと、
オーディオ宛先に前記被変調波形を送信することと
を備える、方法。
【請求項２】
前記オーディオ信号を生成することをさらに備え、前記オーディオ信号は、マイクロフォン、オーディオプレーヤ、トランスデューサまたは音声合成器のうちの１つによって生成される、
請求項１に記載の方法。
【請求項３】
前記オーディオ宛先は、オーディオコンシューマである、
請求項２に記載の方法。
【請求項４】
前記あらかじめ選択されたパターンは、１つまたは複数の０フィルビット、１つまたは複数の１フィルビット、またはビットの任意のグループのうちの１つを含む、
請求項１に記載の方法。
【請求項５】
前記無線構成（ＲＣ）は、前方誤り訂正（ＦＥＣ）パラメータと、変調パラメータと、拡散率とのうちの１つまたは複数を含むチャネルデータレートに基づく物理チャネル構成である、
請求項１に記載の方法。
【請求項６】
前記オーディオ信号は、音声信号または音楽信号のいずれかである、
請求項１に記載の方法。
【請求項７】
前記ビットレートは、前記オーディオ信号をサポートする、前記サポートされる帯域幅のうちの前記１つにマッピングされる拡張音声サービス（ＥＶＳ）ビットレートである、
請求項１に記載の方法。
【請求項８】
前記符号化オーディオ信号は、５．９ｋｂｐｓの拡張音声サービス（ＥＶＳ）ソース制御可変ビットレート（ＳＣ−ＶＢＲ）、１３．２ｋｂｐｓの拡張音声サービス（ＥＶＳ）超広帯域（ＳＷＢ）チャネルアウェアモード（ｃｈ−ａｗモード）または拡張音声サービス（ＥＶＳ）パケットのうちの１つである、
請求項１に記載の方法。
【請求項９】
前記パケットは、予約ビット、フラグビット、消去ビットまたは符号化器テールビットのうちの１つまたは複数を含む、
請求項１に記載の方法。
【請求項１０】
非ネイティブ拡張音声サービス（ＥＶＳ）システムにおけるＥＶＳ符号化パケット互換性のための装置であって、
符号化オーディオ信号と前記符号化オーディオ信号に関連するビットレートとを取得するためにオーディオ信号を符号化するための手段、ここにおいて、前記オーディオ信号は、０ｋＨｚ〜２０ｋＨｚの間の可聴周波数範囲にわたる、狭帯域（ＮＢ）、広帯域（ＷＢ）、超広帯域（ＳＷＢ）、または全帯域（ＦＢ）のサポートされる帯域幅のうちの１つでサポートされる、と、
前記ビットレートに基づいて前記符号化オーディオ信号のためのソースフォーマットを確立するための手段、ここにおいて、前記ソースフォーマットは、ｃｄｍａ２０００  １ｘのための無線構成（ＲＣ）である、と、
パケットを生成するためにあらかじめ選択されたパターンで前記符号化オーディオ信号を再フォーマッティングするための手段、ここにおいて、前記パケットの容量は、前記ソースフォーマットに基づき、前記パケットが間欠送信をサポートする場合、前記再フォーマッティングするための手段は、前記間欠送信中に前記パケットを生成するために１つまたは複数のヌルフレームで前記符号化オーディオ信号を再フォーマッティングする手段を備える、と、
被変調波形を生成するために前記パケットを変調するための手段と、
オーディオ宛先に前記被変調波形を送信するための手段と
を備える、装置。
【請求項１１】
少なくとも１つプロセッサと、共有プロファイルを記憶するためのメモリ、前記メモリが前記少なくとも１つプロセッサに結合される、と、コンピュータ実行可能コードとを備えるデバイス上で動作可能な前記コンピュータ実行可能コードを記憶するコンピュータ可読記憶媒体であって、前記コンピュータ実行可能コードは、
請求項１乃至９のいずれか１項に記載の方法を実行することを前記少なくとも１つのプロセッサに行わせるための命令を備える、コンピュータ可読記憶媒体。
【請求項１２】
非ネイティブ拡張音声サービス（ＥＶＳ）システムにおけるＥＶＳ復号パケット互換性のための方法であって、
被変調波形を備える信号を受信することと、
前記受信信号を変換することによってパケットに関連するデータレートを取得することと、
前記データレートに基づいて符号化オーディオ信号を復元するために前記パケットから１つまたは複数のあらかじめ選択されたパターンを破棄すること、ここにおいて、前記あらかじめ選択されたパターンは、前記符号化オーディオ信号のためのソースフォーマットに基づき、前記ソースフォーマットは、ｃｄｍａ２０００  １ｘのための無線構成（ＲＣ）であり、前記符号化信号は、前記パケットが間欠送信をサポートする場合、前記間欠送信中にパケットを生成するために１つまたは複数のヌルフレームで再フォーマッティングされたものである、と、
復号オーディオ信号を生成するために前記符号化オーディオ信号を復号すること、ここにおいて、前記復号オーディオ信号は、０ｋＨｚ〜２０ｋＨｚの間の可聴周波数範囲にわたる、狭帯域（ＮＢ）、広帯域（ＷＢ）、超広帯域（ＳＷＢ）、または全帯域（ＦＢ）のサポートされる帯域幅のうちの１つでサポートされる、と
を備える、方法。
【請求項１３】
非ネイティブ拡張音声サービス（ＥＶＳ）システムにおけるＥＶＳ復号パケット互換性のための装置であって、
変調された波形を備える信号を受信することと、
前記受信信号を変換することによってパケットに関連するデータレートを取得するための手段と、
前記データレートに基づいて符号化オーディオ信号を復元するために、前記パケットから１つまたは複数のあらかじめ選択されたパターンを破棄するための手段、ここにおいて、前記あらかじめ選択されたパターンは、前記符号化オーディオ信号のためのソースフォーマットに基づき、前記ソースフォーマットは、ｃｄｍａ２０００  １ｘのための無線構成（ＲＣ）であり、前記符号化信号は、前記パケットが間欠送信をサポートする場合、前記間欠送信中にパケットを生成するために１つまたは複数のヌルフレームで再フォーマッティングされたものである、と、
復号オーディオ信号を生成するために前記符号化オーディオ信号を復号するための手段、ここにおいて、前記復号オーディオ信号は、０ｋＨｚ〜２０ｋＨｚの間の可聴周波数範囲にわたる、狭帯域（ＮＢ）、広帯域（ＷＢ）、超広帯域（ＳＷＢ）、または全帯域（ＦＢ）のサポートされる帯域幅のうちの１つでサポートされる、と
を備える、装置。
【請求項１４】
少なくとも１つプロセッサと、共有プロファイルを記憶するためのメモリ、前記メモリが前記少なくとも１つプロセッサに結合される、と、コンピュータ実行可能コードとを備えるデバイス上で動作可能な前記コンピュータ実行可能コードを記憶するコンピュータ可読記憶媒体であって、前記コンピュータ実行可能コードは、
請求項１２に記載の方法を実行することを前記少なくとも１つのプロセッサに行わせるための命令を備える、コンピュータ可読記憶媒体。
【発明の詳細な説明】
【関連出願の相互参照】
【０００１】
[0001]本出願は、その内容全体が参照により本明細書に組み込まれる、２０１５年４月２９日に米国特許商標庁に出願された仮特許出願第６２／１５４，５５９号、および２０１５年９月２２日に米国特許商標庁に出願された非仮特許出願第１４／８６１，１３１号の優先権および利益を主張する。
【技術分野】
【０００２】
[0002]本開示の態様は、一般に、ワイヤレス通信システムに関し、より詳細には、３ＧＰＰ２ワイヤレスネットワークにおける拡張音声サービスに関する。
【背景技術】
【０００３】
[0003]ワイヤレス通信ネットワークは、電話、ビデオ、データ、メッセージング、ブロードキャストなどの様々な通信サービスを提供するために広く展開されている。そのようなネットワークは、通常、多元接続ネットワークであり、利用可能なネットワークリソースを共有することによって複数のユーザのための通信をサポートする。そのようなネットワークの一例は、ＵＭＴＳ地上波無線アクセスネットワーク（ＵＴＲＡＮ：UMTS Terrestrial Radio Access Network）である。ＵＴＲＡＮは、第３世代パートナーシッププロジェクト（３ＧＰＰ：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。ＵＭＴＳは、グローバルシステムフォーモバイルコミュニケーション（ＧＳＭ（登録商標）：Global System for Mobile Communications）技術の後継であり、現在、広帯域符号分割多元接続（Ｗ−ＣＤＭＡ（登録商標））、時分割符号分割多元接続（ＴＤ−ＣＤＭＡ）、および時分割同期符号分割多元接続（ＴＤ−ＳＣＤＭＡ）など、様々なエアインターフェース規格をサポートする。ＵＭＴＳはまた、より高品質のオーディオサービスを提供するために拡張音声サービス（ＥＶＳ：Enhanced Voice Services）をサポートする。
【０００４】
[0004]そのようなネットワークの別の例は、第３世代パートナーシッププロジェクト２（３ＧＰＰ２）によってサポートされる第３世代（３Ｇ）モバイルフォン技術であるｃｄｍａ２０００システムに基づく。ｃｄｍａ２０００システムは、ｃｄｍａＯｎｅの後継であり、符号分割多元接続（ＣＤＭＡ）エアインターフェースをサポートする。モバイルブロードバンドアクセスに対する需要が増加し続けているので、研究開発によって、モバイルブロードバンドアクセスの増大する需要を満たす技術だけでなく、モバイル通信のユーザ体感を進歩および向上させる技術も進歩し続けている。
【発明の概要】
【０００５】
[0005]以下は、本開示の１つまたは複数の態様の基本的理解を与えるために、そのような態様の簡略化された概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を簡略化された形で提示することである。
【０００６】
[0006]本開示の様々な態様によれば、拡張音声サービス（ＥＶＳ）符号化のための方法は、符号化オーディオ信号と符号化オーディオ信号に関連するビットレートとを取得するためにオーディオ信号を符号化することと、ビットレートに基づいて符号化オーディオ信号のためのソースフォーマットを確立することと、パケットを生成するためにあらかじめ選択されたパターンで符号化オーディオ信号を再フォーマッティングすることと、ここにおいて、パケットの容量がソースフォーマットに基づく、を含む。様々な例では、本方法は、オーディオ信号を生成することと、ここにおいて、オーディオ信号は、マイクロフォン、オーディオプレーヤ、トランスデューサまたは音声合成器のうちの１つによって生成される、被変調波形を生成するためにパケットを変調することと、オーディオ宛先に被変調波形を送信することと、ここにおいて、オーディオ宛先はオーディオコンシューマ（audio consumer）である、をさらに含む。
【０００７】
[0007]本開示の様々な態様によれば、パケットに関連するデータレートを取得することと、データレートに基づいて符号化オーディオ信号を復元するためにパケットから１つまたは複数のあらかじめ選択されたパターンを破棄することと、復号オーディオ信号を生成するために符号化オーディオ信号を復号することとを含む拡張音声サービス（ＥＶＳ）復号のための方法。様々な例では、本方法は、信号を受信することと、受信信号をパケットに変換することと、オーディオ宛先に復号オーディオ信号を送ることと、ここにおいて、オーディオ宛先は、スピーカー、ヘッドフォン、記録デバイスまたはデジタルストレージデバイスのうちの１つである、をさらに含む。
【０００８】
[0008]本開示の様々な態様によれば、間欠送信（ＤＴＸ）サポートなしに第１のネットワークから符号化オーディオ信号と符号化オーディオ信号に関連するビットレートとを受信することと、ＤＴＸサポートありで第２のネットワークのためのパケットを生成するために符号化オーディオ信号からあらかじめ選択されたパターンを破棄することと、ここにおいて、あらかじめ選択されたパターンが、ＤＴＸサポートに基づく、第２のネットワークにパケットを送ることとを含む相互接続するための方法。
【０００９】
[0009]本開示の様々な態様によれば、間欠送信（ＤＴＸ）サポートありで第１のネットワークから符号化オーディオ信号と符号化オーディオ信号に関連するビットレートとを受信することと、ＤＴＸサポートなしに第２のネットワークのためのパケットを生成するためにあらかじめ選択されたパターンで符号化オーディオ信号を再フォーマッティングすることと、ここにおいて、あらかじめ選択されたパターンは、ＤＴＸサポートに基づく、第２のネットワークにパケットを送ることとを含む相互接続するための方法。
【００１０】
[0010]本開示の様々な態様によれば、符号化オーディオ信号と符号化オーディオ信号に関連するビットレートとを取得するためにオーディオ信号を符号化するための手段と、ビットレートに基づいて符号化オーディオ信号のためのソースフォーマットを確立するための手段と、パケットを生成するためにあらかじめ選択されたパターンで符号化オーディオ信号を再フォーマッティングするための手段と、ここにおいて、パケットの容量がソースフォーマットに基づく、を含む拡張音声サービス（ＥＶＳ）符号化のための装置。様々な例では、本装置は、被変調波形を生成するためにパケットを変調するための手段と、オーディオ宛先に被変調波形を送信するための手段と、ここにおいて、オーディオ宛先はオーディオコンシューマである、をさらに含む。
【００１１】
[0011]本開示の様々な態様によれば、パケットに関連するデータレートを取得するための手段と、データレートに基づいて符号化オーディオ信号を復元するためにパケットから１つまたは複数のあらかじめ選択されたパターンを破棄するための手段と、復号オーディオ信号を生成するために符号化オーディオ信号を復号するための手段とを含む拡張音声サービス（ＥＶＳ）復号のための装置。様々な例では、本装置は、オーディオ宛先に復号オーディオ信号を送るための手段、ここにおいて、オーディオ宛先は、スピーカー、ヘッドフォン、記録デバイスまたはデジタルストレージデバイスのうちの１つである、をさらに含む。
【００１２】
[0012]本開示の様々な態様によれば、間欠送信（ＤＴＸ）サポートなしに第１のネットワークから符号化オーディオ信号と符号化オーディオ信号に関連するビットレートとを受信するための手段と、ＤＴＸサポートありで第２のネットワークのためのパケットを生成するために符号化オーディオ信号からあらかじめ選択されたパターンを破棄するための手段と、ここにおいて、あらかじめ選択されたパターンが、ＤＴＸサポートに基づく、第２のネットワークにパケットを送るための手段とを含む相互接続するための装置。
【００１３】
[0013]本開示の様々な態様によれば、間欠送信（ＤＴＸ）サポートありで第１のネットワークから符号化オーディオ信号と符号化オーディオ信号に関連するビットレートとを受信するための手段と、ＤＴＸサポートなしに第２のネットワークのためのパケットを生成するためにあらかじめ選択されたパターンで符号化オーディオ信号を再フォーマッティングするための手段と、ここにおいて、あらかじめ選択されたパターンは、ＤＴＸサポートに基づく、第２のネットワークにパケットを送るための手段とを含む相互接続するための装置。
【００１４】
[0014]本開示の様々な態様によれば、少なくとも１つプロセッサと、共有プロファイルを記憶するためのメモリと、メモリが少なくとも１つプロセッサに結合される、コンピュータ実行可能コードとを含むデバイス上で動作可能なコンピュータ実行可能コードを記憶するコンピュータ可読記憶媒体であって、コンピュータ実行可能コードが、符号化オーディオ信号と符号化オーディオ信号に関連するビットレートとを取得するためにオーディオ信号を符号化することを少なくとも１つのプロセッサに行わせるための命令と、ビットレートに基づいて符号化オーディオ信号のためのソースフォーマットを確立することを少なくとも１つのプロセッサに行わせるための命令と、パケットを生成するためにあらかじめ選択されたパターンで符号化オーディオ信号を再フォーマッティングすることを少なくとも１つのプロセッサに行わせるための命令と、ここにおいて、パケットの容量はソースフォーマットに基づく、を含むコンピュータ可読記憶媒体。
【００１５】
[0015]本開示の様々な態様によれば、少なくとも１つプロセッサと、共有プロファイルを記憶するためのメモリと、メモリが少なくとも１つプロセッサに結合される、コンピュータ実行可能コードとを含むデバイス上で動作可能なコンピュータ実行可能コードを記憶するコンピュータ可読記憶媒体であって、コンピュータ実行可能コードが、パケットに関連するデータレートを取得することを少なくとも１つのプロセッサに行わせるための命令と、データレートに基づいて符号化オーディオ信号を復元するためにパケットから１つまたは複数のあらかじめ選択されたパターンを破棄することを少なくとも１つのプロセッサに行わせるための命令と、復号オーディオ信号を生成するために符号化オーディオ信号を復号することを少なくとも１つのプロセッサに行わせるための命令とを含むコンピュータ可読記憶媒体。
【００１６】
[0016]本開示のこれらおよび他の態様は、以下の発明を実施するための形態を検討すればより十分に理解されよう。本開示の特定の例示的な実施形態の以下の説明を添付の図と併せて検討すれば、当業者には、本開示の他の態様、特徴、および実施形態が明らかになろう。本開示の特徴が、以下のいくつかの実施形態および図に関連して説明され得るが、本開示のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本開示の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１７】
【図１】３ＧＰＰおよび３ＧＰＰ２のための音声コーデックの図的表現を示す図。
【図２】拡張音声サービス（ＥＶＳ）のための４つのサポートされる帯域幅の例を示す図。
【図３】ＥＶＳのための音楽演奏の例を示すチャート。
【図４】１３．２ｋｂｐｓのＥＶＳ超広帯域（ＳＷＢ）チャネルアウェアモード（ｃｈ−ａｗモード）の一例を示す図。
【図５】３つの例示的なコーデックのための異なるエラーシナリオのための劣化平均オピニオン評点（ＤＭＯＳ）の例を示すチャート。
【図６ａ】ｃｄｍａ２０００  １ｘのための順方向基本チャネル（Ｆ−ＦＣＨ）の一例を示す図。
【図６ｂ】ｃｄｍａ２０００  １ｘのための逆方向基本チャネル（Ｒ−ＦＣＨ）の一例を示す図。
【図７】コーデックモード構造のＥＶＲＣファミリーの一例を概念的に示す図。
【図８ａ】サービスオプション７３符号化レート制御パラメータを示す表の一例を示す図。
【図８ｂ】サービスオプション７３符号化レート制御パラメータを示す表の一例を示す図。
【図８ｃ】サービスオプション７３符号化レート制御パラメータを示す表の一例を示す図。
【図９ａ】ＥＶＳ５．９フレームをコーデックフレームの既存の拡張可変レートコーデック（ＥＶＲＣ）ファミリーにゼロパディングする一例を示す図。
【図９ｂ】第１のネットワークと第２のネットワークとの間の相互接続の第１の例を示す図。
【図９ｃ】第１のネットワークと第２のネットワークとの間の相互接続の第２の例を示す図。
【図１０】本開示のいくつかの態様による、非ネイティブＥＶＳシステムにおける拡張音声サービス（ＥＶＳ）符号化互換性のための例示的な方法を示すフローチャート。
【図１１】本開示のいくつかの態様による、非ネイティブＥＶＳシステムにおける拡張音声サービス（ＥＶＳ）復号互換性のための例示的な方法を示すフローチャート。
【図１２】様々なワイヤレス通信ネットワークを用いる階層ネットワークアーキテクチャの一例を概念的に示す図。
【図１３】ＥＶＳとｃｄｍａ２０００  １ｘアドバンストレートボコーダとの両方のための平均レート寄与度の例示的な比較を示すチャート。
【図１４】他のボコーダに比較したＥＶＳ−ＷＢ５．９音声品質の一例を示すチャート。
【図１５】処理システムを採用する装置のためのハードウェア実装形態の一例を示すブロック図。
【図１６ａ】３ＧＰＰに基づく電気通信システムの一例を概念的に示すブロック図。
【図１６ｂ】３ＧＰＰ２に基づく電気通信システムの一例を概念的に示すブロック図。
【図１７】アクセスネットワークの一例を示す概念図。
【図１８】ユーザプレーンおよび制御プレーンのための無線プロトコルアーキテクチャの一例を示す概念図。
【図１９】電気通信システムにおいてＵＥと通信している基地局の一例を概念的に示すブロック図。
【図２０】本開示の態様による、１つまたは複数の機能を実行するように構成され得る、処理回路を採用する装置のためのハードウェア実装形態の簡略化された例を示す概念図。
【発明を実施するための形態】
【００１８】
[0041]添付の図面に関して以下に記載される発明を実施するための形態は、様々な構成を説明するものであり、本明細書で説明される概念が実施され得る構成のみを表すものではない。発明を実施するための形態は、様々な概念を完全に理解することを目的とする具体的な詳細を含む。しかしながら、これらの概念がこれらの具体的な詳細なしに実践され得ることが当業者に明らかであろう。いくつかの事例では、そのような概念を不明瞭にしないように、よく知られている構造および構成要素がブロック図の形式で示される。
【００１９】
[0042]ワイヤレス通信システムでは、送信機の音声コーダと受信機の音声復号器とが音声信号の効率的なデジタル表現を与える。効率は、平均オピニオン評点（ＭＯＳ）に対する音声信号を表すために使用されるビットレート、すなわち、単位時間当たりのビットの平均数に関係する。様々な例では、ＭＯＳは、トレーニングされたリスナーのグループによってレーティングされた符号化音声信号の了解度の測度である。
【００２０】
[0043]図１は、３ＧＰＰおよび３ＧＰＰ２のための音声コーデック１００の図的表現である。図１に、３ＧＰＰおよび３ＧＰＰ２のための音声コーデックの発展形を示す。３ＧＰＰ音声コーデックの発展は、適応マルチレート（ＡＭＲ：Adaptive Multi-Rate）から適応マルチレート広帯域（ＡＭＲ−ＷＢ：Adaptive Multi-Rate Wideband）に発展し、（４つのサポートされる帯域幅を用いる）ＥＶＳに発展した。３ＧＰＰ２音声コーデックの発展は、拡張可変レートコーデックＢ（ＥＶＲＣ−Ｂ：Enhanced Variable Rate Codec B）から拡張可変レートコーデック広帯域（ＥＶＲＣ−ＷＢ）に発展し、拡張可変レートコーデック狭帯域−広帯域（ＥＶＲＣ−ＮＷ：Enhanced Variable Rate Codec- Narrowband-Wideband）に発展した。図１に示すように、ＥＶＳは、３ＧＰＰ２のためではなく、３ＧＰＰのための音声コーデック中に含まれる。
【００２１】
[0044]図２に、拡張音声サービス（ＥＶＳ）のための４つのサポートされる帯域幅２００の例を示す。図２に示すものは、ＥＶＳにおける４つのモードのための２０ｋＨｚまでの可聴周波数範囲にわたるサポートされる帯域幅である。図２に示す４つのサポートされる帯域幅は、狭帯域（ＮＢ）、広帯域（ＷＢ）、超広帯域（ＳＷＢ）および全帯域（ＦＢ）である。様々な例では、ＮＢは、音声をサポートし、ＷＢは、高精細（ＨＤ）音声をサポートし、ＳＷＢは、（ＨＤ音声を含む）音声と音楽とをサポートし、ＦＢは、（ＨＤ音声を含む）音声と高精細（ＨＤ）音楽とをサポートする。様々な例では、ＥＶＳは、ａ）低域周波数は、自然さおよび聴取快適性を改善し得、ｂ）中域周波数は、音声明瞭性および了解度を改善し得、ｃ）高域周波数は、臨場感を改善し、より良い音楽品質に寄与し得るとの属性をもつ広範囲の可聴周波数をサポートする。
【００２２】
[0045]表１に、拡張音声サービス（ＥＶＳ）ビットレートとサポートされる帯域幅との例を示す。
表１
【００２３】
【表１】
0006759241.tif 000002
【００２４】
[0046]ＥＶＳビットレートは、ソースビットレートであり、すなわち、ソース圧縮またはソースコーディングの後である。ＥＶＳビットレートは、キロビット／秒（ｋｂｐｓ）の単位にある。表１中の各ＥＶＳビットレートは、対応するサポートされる帯域幅にマッピングされ、ここで、図２に示すように、ＮＢは狭帯域であり、ＷＢは広帯域であり、ＳＷＢは超広帯域であり、ＦＢは全帯域である。各ビットレートは、それのサポートされる帯域幅としてＮＢを含まないチャネルアウェアオプションを有する１３．２ｋｂｐｓのビットレートを除くサポートされる帯域幅へのそれのマッピングの点で一意である。様々な例では、表１に示したすべてのビットレートが間欠送信（ＤＴＸ）をサポートする。
【００２５】
[0047]表２に、ＥＶＳのための異なるビットレートモードおよび帯域幅の例を示す。表で提示するビットレートは、キロビット／秒（ｋｂｐｓ）の単位にある。表２に示されているように、１３．２ｋｂｐｓのＷＢおよびＳＷＢモードはまた、エラー回復力を与え得るチャネルアウェアモードを含み得る。
表２
【００２６】
【表２】
0006759241.tif 000003
【００２７】
[0048]図３は、ＥＶＳのための音楽演奏の例を示すチャート３００である。図３のチャートでは、水平軸に異なるタイプのコーデックをリストし、垂直軸に平均オピニオンソース（ＭＯＳ）に関してプロットする。可変ビットレート（ＶＢＲ）および７．０１ｋｂｐｓの送信レートを用いるＥＶＳ−ＮＢ５．９と可変ビットレート（ＶＢＲ）および７．５３ｋｂｐｓの送信レートを用いるＥＶＳ−ＷＢ５．９との例では、ＶＢＲモードは、音声コンテンツのために５．９ｋｂｐｓの平均ビットレートを達成するが、音楽コンテンツのためのビットレートは、５．９ｋｂｐｓと８ｋｂｐｓとの間で変化し得る。図３で提示する例に、同様のビットレートでＡＭＲにわたってＥＶＳ音楽演奏の品質改善があり得ることを示す。図３で提示する例に、１３．２ｋｂｐｓのＥＶＳが２倍のビットレートのＡＭＲ−ＷＢより良好な音楽演奏を有し得ることを示す。図３で提示する例に、１３．２ｋｂｐｓのＥＶＳが２３．８５のビットレートのＡＭＲ−ＷＢより良好な音楽品質を有し得ることを示す。
【００２８】
[0049]図４に、１３．２ｋｂｐｓのＥＶＳ超広帯域（ＳＷＢ）チャネルアウェアモード（ｃｈ−ａｗモード）の一例４００を示す。様々な例では、ソースは、固定ビットレートストリーム中で可変レートを制御し得る。たとえば、エラー回復力を改善するために前の重要なフレームの部分的なコピーが追加され得る。これは、フレームｎ＋２に「ｎ」を追加することによって見られる。
【００２９】
[0050]図５は、３つの例示的なコーデックのための異なるエラーシナリオのための劣化平均オピニオン評点（ＤＭＯＳ）の例を示すチャート５００である。異なるエラーシナリオは、０％から９．４％にわたる異なるフレームエラーレートに対応する。図５で提示する３つの例示的なコーデックは、ＡＭＲ−ＷＢ（２３．８５ｋｂｐｓ）、ＥＶＳ−ＳＷＢ（１３．２ｋｂｐｓ）非ｃｈ−ａｗ、およびＥＶＳ−ＳＷＢ（１３．２ｋｂｐｓ）ｃｈ−ａｗである。図示の例に、非ｃｈ−ａｗモードと比較してｃｈ−ａｗモードでクリーンチャネル品質が保持され得ることを示す。たとえば、６％のフレームエラーレート（ＦＥＲ）のＥＶＳ  ＳＷＢ  ｃｈ−ａｗモードは、損失なしの下で２３．８５ｋｂｐｓのＡＭＲ−ＷＢと同じＤＭＯＳを有する。たとえば、ＥＶＳ  ＳＷＢ  ｃｈ−ａｗモードは、６％のフレームエラーレート（ＦＥＲ）の下で２３．８５ｋｂｐｓのＡＭＲ−ＷＢよりも０．９の劣化平均オピニオン評点（ＤＭＯＳ）改善を有する。
【００３０】
[0051]表３に、ＥＶＳビットレートおよび容量考慮事項の発展を示す例を示す。様々な例では、ＥＶＳが既存のＡＭＲ／ＡＭＲ−ＷＢ  ＬＴＥ（登録商標）トランスポートブロックを利用するので、最小限のネットワークアップグレード（もしあれば）しか必要とされないことがある。
表３
【００３１】
【表３】
0006759241.tif 000004
【００３２】
[0052]図６ａに、順方向（すなわち、基地局からユーザ機器）に情報ペイロードをトランスポートするｃｄｍａ２０００  １ｘのための順方向基本チャネル（Ｆ−ＦＣＨ）の一例６００を示す。図６ａに示すように、Ｒ／Ｆは、予約／フラグビットであり、Ｆは、フレーム品質インジケータ（たとえば、巡回冗長検査（ＣＲＣ））であり、Ｔは、符号化器テールビットである。情報ペイロードは、「情報ビット」と標示されたフィールド中で搬送され得る。様々な例では、Ｆ−ＦＣＨは、無線構成（ＲＣ）１〜９、１１および１２を含み得る。リストされたＲＣのすべては、２０ｍｓのフレーム持続時間を含む。また、ＲＣ３〜９はまた、５ｍｓのフレーム持続時間を含み得る。たとえば、無線構成は、フレーム持続時間とデータレートとを仮定すれば、フレーム内のビットの割振りを含み得る。
【００３３】
[0053]図６ｂに、逆方向（すなわち、ユーザ機器から基地局）に情報ペイロードをトランスポートするｃｄｍａ２０００  １ｘのための逆方向基本チャネル（Ｒ−ＦＣＨ）の一例６５０を示す。図６ｂに示すように、Ｒ／Ｅは、予約／消去インジケータビットであり、Ｆは、フレーム品質インジケータ（たとえば、巡回冗長検査（ＣＲＣ））であり、Ｔは、符号化器テールビットである。情報ペイロードは、「情報ビット」と標示されたフィールド中で搬送され得る。様々な例では、Ｒ−ＦＣＨは、無線構成（ＲＣ）１〜６および８を含み得る。リストされたＲＣのすべては、２０ｍｓのフレーム持続時間を含む。また、ＲＣ３〜６はまた、５ｍｓのフレーム持続時間を含み得る。たとえば、無線構成は、フレーム持続時間とデータレートとを仮定すれば、フレーム内のビットの割振りを含み得る。
【００３４】
[0054]図７は、モード構造７００の拡張可変レートコーデック（ＥＶＲＣ）ファミリーの一例を概念的に示す図である。様々な例では、サービスオプション（ＳＯ）ネゴシエーションを介したボコーダハードハンドオフは、ＥＶＲＣとＥＶＲＣ−ＷＢとの間で行われ得、様々な例では、サービスオプション制御メッセージ（ＳＯＣＭ）ネゴシエーションを介したボコーダフレーム相互運用性は、ＥＶＲＣ−ＷＢとＥＶＲＣ−ＮＷとの間で可能であり得る。様々な例では、ＮＷは、組み合わされた狭帯域（ＮＢ）および広帯域（ＷＢ）コーデックを表す。また、図７で使用するＣＯＰは、容量動作点（capacity operating point）を表す。
【００３５】
[0055]表４に、順方向基本チャネル（Ｆ−ＦＣＨ）の各無線構成およびデートレートのためのフレーム当たりのビット数を示す。表４に、ＲＣおよび日付レートの各エントリのＦ−ＦＣＨのためのビット毎フレームの割振りを示す。割振りは、ＲＣおよびデータレートの各エントリのためのフレーム当たりの総ビットに加算するａ）予約／フラグ、ｂ）情報ペイロード、ｃ）フレーム品質インジケータ、およびｄ）符号化器テールのためのビット毎フレームを含む。データレートは、ビット毎秒（ｂｐｓ）の単位である。データレート列内の丸括弧中の語はフレーム持続時間を表す。また、各行エントリについて、（ｂｐｓ単位の）データレートと（ミリ秒（ｍｓ）から秒に変換された）フレーム持続時間との積は、その行エントリ中のフレーム当たりの総ビットに等しくなる。
表４
【００３６】
【表４】
0006759241.tif 000005
【００３７】
[0056]表５に、逆方向基本チャネル（Ｒ−ＦＣＨ）の各無線構成および日付レートのためのフレーム当たりのビット数を示す。表５に、ＲＣおよび日付レートの各エントリのＲ−ＦＣＨのためのビット毎フレームの割振りを示す。割振りは、ＲＣおよびデータレートの各エントリのためのフレーム当たりの総ビットに加算するａ）予約／消去インジケータ、ｂ）情報ペイロード、ｃ）フレーム品質インジケータ、およびｄ）符号化器テールのためのビット毎フレームを含む。データレートは、ビット毎秒（ｂｐｓ）の単位である。データレート列内の丸括弧中の語はフレーム持続時間を表す。また、各行エントリについて、（ｂｐｓ単位の）データレートと（ミリ秒（ｍｓ）から秒に変換された）フレーム持続時間との積は、その行エントリ中のフレーム当たりの総ビットに等しくなる。
表５
【００３８】
【表５】
0006759241.tif 000006
【００３９】
[0057]図８ａ、図８ｂおよび図８ｃに、サービスオプション７３符号化レート制御パラメータを示す表８００の一例を示す。様々な例では、サービスオプション７３は、ＥＶＲＣコーデックのファミリー、たとえば、ＥＶＲＣ−ＮＷコーデックを使用し得る。表に、様々な符号化器動作点のためのチャネル符号化レートとソース符号化レートとの両方を示す。
【００４０】
[0058]様々な例では、ＥＶＳの利益には、機能強化されたエラー回復力、より良好な容量および／または優れた品質が含まれ得る。データ損失に対するロバストネスの改善があり得、これは有意であり得る。また、ＥＶＳコーデックは、遅延ジッタ条件の下でテストされた設計を含み得る。これらの特性は、エラー回復力を高め得る。様々な例では、ＥＶＳ広範囲ビットレートは、９．６〜１２８ｋｂｐｓの範囲の超広帯域（ＳＷＢ）と、５．９〜１２８ｋｂｐｓの範囲の広帯域（ＷＢ）と、５．９〜２４．４ｋｂｐｓの範囲の狭帯域（ＮＢ）とがあり得る。様々な例では、ＳＷＢモードは、５０Ｈｚ〜１６ＫＨｚの可聴周波数範囲を含む。様々な例では、ＥＶＳの優れた品質は、ＡＭＲ／ＡＭＲ−ＷＢよりも質の良いＮＢモードとＷＢモードとを有する点に見られる。様々な例では、ＥＶＳは、ＳＷＢ音楽のエンターテインメント品質を可能にする。より良好な容量に関して、ＳＷＢは、たとえば、１３．２ｋｂｐｓにあり、ＷＢは、５．９ｋｂｐｓから始まり得る。
【００４１】
[0059]図９ａに、ＥＶＳ５．９フレームをコーデックフレームまたはパケットの既存の拡張可変レートコーデック（ＥＶＲＣ）ファミリーにゼロパディングする一例９００を示す。様々な例では、ＥＶＳ５．９フレームをコーデックフレームまたはパケットの既存のＥＶＲＣファミリーにゼロパディングすることによって、１つのシステムから別のシステムに相互接続するときに最低限のネットワーク更新しか必要にならない。たとえば、ロングタームエボリューション（ＬＴＥ）ネットワークからｃｄｍａ２０００  １ｘネットワークに相互接続するときに、間欠送信（ＤＴＸ）が、ＬＴＥネットワーク上ではサポートされるが、ｃｄｍａ２０００  １ｘ回線交換（ＣＳ）ネットワークにおいてサポートされない場合、メディアゲートウェイ相互接続機能（ＭＧＷ−ＩＷＦ：Media Gateway-Interworking Function）は、ＬＴＥからｃｄｍａ２０００  １ｘ  ＣＳに相互接続するときに符号化オーディオ信号（たとえば、音声）にヌルフレームを追加し得る。代替的に、ＭＧＷ−ＩＷＦは、ｃｄｍａ２０００  １ｘ  ＣＳからＬＴＥに相互接続するときにヌルフレームを破棄し得る。ただし、ＤＴＸが両方のネットワーク（たとえば、ＬＴＥおよびｃｄｍａ２０００  １ｘ  ＣＳ）上でサポートされる場合、ＭＧＷ−ＩＷＦによる行為が必要とされない。ＥＶＳは、拡張音声サービスである。図９ａに示すＥＶＳＯｎ１ｘは、ＣＤＭＡ２０００  １ｘ上のＥＶＳである。
【００４２】
[0060]図９ｂに、第１のネットワークと第２のネットワークとの間の相互接続の第１の例９２０を示す。様々な態様では、相互接続ネットワークは、ブロック９２１に示すように、間欠送信（ＤＴＸ）サポートなしに第１のネットワークから符号化オーディオ信号と符号化オーディオ信号に関連するビットレートとを受信することによって対話し得る。ブロック９２２において、対話は、ＤＴＸサポートありで第２のネットワークのためのパケットを生成するために符号化オーディオ信号からあらかじめ選択されたパターンを破棄すること、ここにおいて、あらかじめ選択されたパターンは、ＤＴＸサポートに基づく、を含み得る。また、ブロック９２３において、対話は、第２のネットワークにパケットを送ることを含み得る。いくつかの例では、第１のネットワークは、ｃｄｍａ２０００  １ｘ  ＣＳネットワークであり、第２のネットワークは、ＬＴＥネットワークである。
【００４３】
[0061]図９ｃに、第１のネットワークと第２のネットワークとの間の相互接続の第２の例９３０を示す。様々な態様では、相互接続ネットワークは、ブロック９３１に示すように、間欠送信（ＤＴＸ）サポートありで第１のネットワークから符号化オーディオ信号と符号化オーディオ信号に関連するビットレートとを受信することによって対話し得る。ブロック９３２において、対話は、ＤＴＸサポートなしに第２のネットワークのためのパケットを生成するためにあらかじめ選択されたパターンで符号化オーディオ信号を再フォーマッティングすること、ここにおいて、あらかじめ選択されたパターンは、ＤＴＸサポートに基づく、を含み得る。また、ブロック９３３において、対話は、第２のネットワークにパケットを送ることを含み得る。いくつかの例では、第１のネットワークは、ＬＴＥネットワークであり、第２のネットワークは、ｃｄｍａ２０００  １ｘ  ＣＳネットワークである。
【００４４】
[0062]図１０は、本開示のいくつかの態様による、非ネイティブＥＶＳシステムにおける拡張音声サービス（ＥＶＳ）符号化パケット互換性のための例示的な方法を示すフローチャート１０００である。
【００４５】
[0063]ブロック１０１０において、オーディオソースはオーディオ信号を生成する。様々な例では、オーディオソースは、マイクロフォン、オーディオプレーヤ、トランスデューサまたは音声合成器などを含み得る。いくつかの例では、マイクロフォン、オーディオプレーヤ、トランスデューサ、または音声合成器は、ユーザ機器内の構成要素である。
【００４６】
[0064]ブロック１０２０において、符号化器は、符号化オーディオ信号と符号化オーディオ信号に関連するビットレートとを取得するためにオーディオ信号を符号化する。様々な例では、オーディオ信号は、たとえば、２０ｋＨｚまで（すなわち、０ｋＨｚ〜２０ｋＨｚ）の可聴周波数範囲にわたる狭帯域（ＮＢ）、広帯域（ＷＢ）、超広帯域（ＳＷＢ）および全帯域（ＦＢ）の帯域幅（すなわち、サポートされる帯域幅）のうちの１つでサポートされる。同様に、符号化オーディオ信号は、たとえば、２０ｋＨｚまで（すなわち、０ｋＨｚ〜２０ｋＨｚ）の可聴周波数範囲にわたる狭帯域（ＮＢ）、広帯域（ＷＢ）、超広帯域（ＳＷＢ）および全帯域（ＦＢ）の帯域幅（すなわち、サポートされる帯域幅）のうちの１つでサポートされる。様々な例では、ビットレートは、拡張音声サービス（ＥＶＳ）ビットレートである。ビットレートは、サポートされる帯域幅のうちの１つにマッピングされ得る。
【００４７】
[0065]様々な例では、符号化器は、符号化器と復号器とを含むコーデックの一部であり得る。様々な例では、オーディオ信号は、音声信号または音楽信号である。様々な例では、符号化器は、ソース符号化器である。様々な例では、符号化器は、デジタル音声符号化器である。様々な例では、符号化器は、拡張音声サービス（ＥＶＳ）に関連する規格ごとにオーディオ信号を符号化するＥＶＳ符号化器である。ビットレートは、たとえば、ソース符号化レートであり得る。また、複数のビットレートは、サポートされる帯域幅のうちの１つにマッピングされ得る。
【００４８】
[0066]様々な例では、符号化オーディオ信号は、ＥＶＳ規格ごとに関連するＥＶＳビットレートをもつビットのフォーマットされたグループであり得る拡張音声サービス（ＥＶＳ）パケットである。符号化オーディオ信号は、チャネルアウェアモード、たとえば、１３．２ｋｂｐｓのＥＶＳ超広帯域（ＳＷＢ）チャネルアウェアモード（ｃｈ−ａｗモード）であり得る。すなわち、符号化オーディオ信号は、５．９ｋｂｐｓの拡張音声サービス（ＥＶＳ）ソース制御可変ビットレート（ＳＣ−ＶＢＲ）、１３．２ｋｂｐｓの拡張音声サービス（ＥＶＳ）超広帯域（ＳＷＢ）チャネルアウェアモード（ｃｈ−ａｗモード）または拡張音声サービス（ＥＶＳ）パケットのうちの１つであり得る。
【００４９】
[0067]ブロック１０３０において、コントローラは、ビットレートに基づいて符号化オーディオ信号のためのソースフォーマットを確立する。様々な例では、ソースフォーマットは、たとえば、ｃｄｍａ２０００  １ｘのための無線構成（ＲＣ）である。様々な例では、コントローラは、プロセッサまたは処理ユニットによって実装され得る。いくつかの態様では、符号化オーディオ信号のためのソースフォーマットまたはＲＣを確立することは、ソースフォーマットまたは無線構成（ＲＣ）に関連するデータレートを確立することを含み得る。たとえば、無線構成は、前方誤り訂正（ＦＥＣ）パラメータと、変調パラメータと、拡散率とを含むチャネルデータレートに基づく物理チャネル構成であり得る。
【００５０】
[0068]特定のソースフォーマットまたはＲＣに関連する様々なデータレートは、たとえば、それぞれＦ−ＦＣＨまたはＲ−ＦＣＨのための表４および表５中で見つけられ得る。たとえば、データレートはチャネル符号化レートであり得る。
【００５１】
[0069]ブロック１０４０において、フレーマは、パケットを生成するために１つまたは複数のあらかじめ選択されたパターンで符号化オーディオ信号を再フォーマッティングし、ここにおいて、パケットの容量は、ソースフォーマット（または無線構成（ＲＣ））に基づく。様々な例では、パケットは、ビットのフォーマットされたグループ内に符号化オーディオ信号を含んでいるビットのフォーマットされたグループである。すなわち、ビットのフォーマットされたグループは、符号化オーディオ信号を含み、他の補助ビット（たとえば、符号化オーディオ信号自体は含まないが、符号化オーディオ信号のトランスポートのために使用される付加ビット）をも含み得る。
【００５２】
[0070]ブロック１０５０において、変調器は、被変調波形を生成するためにパケットを変調する。たとえば、変調器は、ビットのフォーマットされたグループ（すなわち、パケット）をとり、（あらかじめ決定され得る）変調ルールに従ってビットのフォーマットされたグループを被変調波形に連続的に変換する。たとえば、変調ルールは、０ビットを被変調波形の第１の位相状態に変換し、１ビットを被変調波形の第２の位相状態に変換し得る。位相状態は、被変調波形の離散的な位相オフセットである（たとえば、０度または１８０度）。
【００５３】
[0071]ブロック１０６０において、送信機は、オーディオ宛先に被変調波形を送信する。様々な例では、オーディオ宛先は、限定はしないが、スピーカー、ヘッドフォン、記録デバイス、デジタルストレージデバイスなどのオーディオコンシューマである。いくつかの例では、被変調波形を送信するためにアンテナが使用される。アンテナは、被変調波形を送信するために送信機と連携して動作し得る。
【００５４】
[0072]たとえば、あらかじめ選択されたパターンは、１つまたは複数の０フィルビット（zero-fill bits）あるいは１つまたは複数の１フィルビット（one-fill bits）であり得る。他の例では、あらかじめ選択されたパターンは、ビットの複数の任意のグループのパターンを含み得るか、またはあらかじめ選択されたパターンは、ビットの１つの任意のグループのパターンを含み得る。パケットは、プリペンドビット、たとえば、予約ビット、フラグビット、消去ビットまたはフレーム品質インジケータを含み得る。様々な例では、フレーム品質インジケータは、ビットのフレームの完全性を示すビットのグループである。たとえば、フレーム品質インジケータは、巡回冗長検査（ＣＲＣ）であり得る。パケットは、アペンドビット、たとえば、符号化器テールビットを含み得る。
【００５５】
[0073]たとえば、８．５ｋｂｐｓのフルレートコーディングを用いるｃｄｍａ２０００レートセット１（ＲＳ１）の場合、Ｆ−ＦＣＨのためにＲＣ３（９．６ｋｂｐｓ）が使用され、Ｒ−ＦＣＨのためにＲＣ３（９．６ｋｂｐｓ）が使用され得る。また、たとえば、ＥＶＳ広帯域モード５．９ｋｂｐｓ、７．２ｋｂｐｓ、８．０ｋｂｐｓおよび２．８ｋｂｐｓは、ＲＳ１およびＲＣ３を用いてパケットを生成するために１つまたは複数のあらかじめ選択されたパターンで再フォーマッティングされ得る。様々な例では、パケットは、間欠送信（ＤＴＸ）をサポートし得る。たとえば、符号化オーディオ信号は、ＤＴＸ中にパケットを生成するために１つまたは複数のヌルフレームで再フォーマッティングされ得る。たとえば、被変調波形を送信するための送信機は、ＤＴＸなしに符号化オーディオ信号を使用するために別のネットワークエンティティ（たとえば、ユーザ機器）とネゴシエートする。
【００５６】
[0074]様々な例では、パケットは、ｃｄｍａ２０００  １ｘチャネルに適合し得る。いくつかの例では、パケットは、３ＧＰＰ２規格ごとに任意のチャネルに適合し得る。たとえば、パケットは、４Ｇ−ＬＴＥチャネル、３Ｇ−ＷＣＤＭＡ（登録商標）チャネル、ＷＬＡＮ（たとえば、ＷｉＦｉ（登録商標））チャネルまたはブロードバンド固定ネットワークチャネルに適合し得る。たとえば、パケットは、拡張可変レートコーデック（ＥＶＲＣ）モード構造に適合し得る。
【００５７】
[0075]様々な例では、ＤＴＸが３ＧＰＰ  ＬＴＥネットワーク上でサポートされるとき、ゲートウェイおよび／またはＭＳＣは、ヌル／ブランクフレームを追加／除去し得る。ヌル／ブランクフレームは、ゼロパディングされないことがある。たとえば、ゲートウェイおよび／またはＭＳＣなどの別のネットワーク要素は、ＤＴＸ機能を用いる能力を維持するためにヌルまたはブランクフレームを追加または除去し得る。ヌルまたはブランクフレームは、追加の雑音挿入を回避するために０以外の値を有し得る。さらに、基地局は、ＤＴＸ機能を用いる能力を維持するためにヌルまたはブランクフレームを追加または除去し得る。
【００５８】
[0076]パケットの容量は、パケット中で何個の（たとえば付加ビットを含まない）情報ビットが利用可能であるのかによって測定される。様々な例では、フレーマは、プロセッサまたは処理ユニットによって実装され得る。それは、ソースフォーマットまたは無線構成（ＲＣ）を確立する同じプロセッサまたは処理ユニットであることもそうでないこともある。
【００５９】
[0077]図１１は、本開示のいくつかの態様による、非ネイティブＥＶＳシステムにおける拡張音声サービス（ＥＶＳ）復号パケット互換性のための例示的な方法を示すフローチャート１１００である。ブロック１１１０において、受信機は、信号を受信する。様々な例では、信号は、オーディオ送信機から受信され得る。
【００６０】
[0078]ブロック１１２０において、復調器は、受信信号をパケットに変換する。様々な例では、パケットは、ビットのフォーマットされたグループ内に符号化オーディオ信号を含んでいるビットのフォーマットされたグループである。すなわち、ビットのフォーマットされたグループは、符号化オーディオ信号を含み、他の補助ビット（たとえば、符号化オーディオ信号の情報は含まないが、符号化オーディオ信号のトランスポートのために使用される付加ビット）をも含み得る。復調器は、ビットのフォーマットされたグループを決定するために（すなわち、受信信号をパケットに変換するために）受信信号の連続部分に関する決定を実行することによって受信信号を変換する。
【００６１】
[0079]ブロック１１３０において、プロセッサは、パケットに関連するデータレートを取得する。パケットは、プリペンドビット、たとえば、予約ビット、フラグビット、消去ビットまたはフレーム品質インジケータを含み得る。様々な例では、フレーム品質インジケータは、ビットのフレームの完全性を示すビットのグループである。たとえば、フレーム品質インジケータは、巡回冗長検査（ＣＲＣ）であり得る。パケットは、アペンドビット、たとえば、符号化器テールビットを含み得る。
【００６２】
[0080]様々な例では、パケットは、ｃｄｍａ２０００  １ｘチャネルであり得る。いくつかの例では、パケットは、３ＧＰＰ２規格ごとに任意のチャネルであり得る。たとえば、パケットは、４Ｇ−ＬＴＥチャネル、３Ｇ−ＷＣＤＭＡチャネル、ＷＬＡＮ（たとえば、ＷｉＦｉ）チャネルまたはブロードバンド固定ネットワークチャネルであり得る。たとえば、パケットは、拡張可変レートコーデック（ＥＶＲＣ）モード構造であり得る。
【００６３】
[0081]ブロック１１４０において、デフレーマは、データレートに基づいて符号化オーディオ信号を復元するためにパケットから１つまたは複数のあらかじめ選択されたパターンを破棄する。たとえば、あらかじめ選択されたパターンは、１つまたは複数の０フィルビットあるいは１つまたは複数の１フィルビットであり得る。他の例では、あらかじめ選択されたパターンは、ビットの複数の任意のグループのパターンを含み得るか、またはあらかじめ選択されたパターンは、ビットの１つの任意のグループのパターンを含み得る。様々な例では、符号化オーディオ信号は、拡張音声サービス（ＥＶＳ）パケットである。たとえば、符号化オーディオ信号は、チャネルアウェアモード、たとえば、１３．２ｋｂｐｓのＥＶＳ超広帯域（ＳＷＢ）チャネルアウェアモード（ｃｈ−ａｗモード）であり得る。いくつかの例では、データレートはチャネル符号化レートであり得る。
【００６４】
[0082]様々な例では、パケットの容量は、符号化オーディオ信号に関連するソースフォーマットまたは無線構成（ＲＣ）に基づく。たとえば、無線構成は、前方誤り訂正（ＦＥＣ）パラメータと、変調パラメータと、拡散率とを含むチャネルデータレートに基づく物理チャネル構成であり得る。
【００６５】
[0083]パケットの容量は、パケット中で何個の（たとえば付加ビットを含まない）情報ビットが利用可能であるのかによって測定される。様々な例では、破棄される１つまたは複数のあらかじめ選択されたパターンの量は、ソースフォーマットまたは無線構成（ＲＣ）に基づく。様々な例では、デフレーマは、プロセッサまたは処理ユニットによって実装され得る。様々な例では、デフレーマは、受信機に結合され、受信機の一部であるか、または受信機の外部にあり得る。
【００６６】
[0084]ブロック１１５０において、復号器は、復号オーディオ信号を生成するために符号化オーディオ信号を復号する。様々な例では、復号器は、復号器と符号化器とを含むコーデックの一部であり得る。様々な例では、復号オーディオ信号は、音声信号または音楽信号である。様々な例では、復号器は、ソース復号器である。様々な例では、復号器は、デジタル音声復号器である。様々な例では、復号器は、拡張音声サービス（ＥＶＳ）に関連する規格ごとにオーディオ信号を復号する拡張音声サービス（ＥＶＳ）復号器である。様々な例では、復号オーディオ信号は、拡張音声サービス（ＥＶＳ）パケットである。
【００６７】
[0085]様々な例では、復号オーディオ信号は、たとえば、２０ｋＨｚまで（すなわち、０ｋＨｚ〜２０ｋＨｚ）の可聴周波数範囲にわたる狭帯域（ＮＢ）、広帯域（ＷＢ）、超広帯域（ＳＷＢ）および全帯域（ＦＢ）の帯域幅（すなわち、サポートされる帯域幅）のうちの１つでサポートされる。同様に、符号化オーディオ信号は、たとえば、２０ｋＨｚまで（すなわち、０ｋＨｚ〜２０ｋＨｚ）の可聴周波数範囲にわたる狭帯域（ＮＢ）、広帯域（ＷＢ）、超広帯域（ＳＷＢ）および全帯域（ＦＢ）の帯域幅（すなわち、サポートされる帯域幅）のうちの１つでサポートされる。
【００６８】
[0086]様々な例では、ビットレートは、拡張音声サービス（ＥＶＳ）ビットレートである。ビットレートは、サポートされる帯域幅のうちの１つにマッピングされ得る。ビットレートは、たとえば、ソース符号化レートであり得る。また、複数のビットレートは、サポートされる帯域幅のうちの１つにマッピングされ得る。
【００６９】
[0087]ブロック１１６０において、復号器は、オーディオ宛先に復号オーディオ信号を送る。様々な例では、オーディオ宛先は、限定はしないが、スピーカー、ヘッドフォン、記録デバイス、デジタルストレージデバイス、トランスデューサなどのオーディオコンシューマである。
【００７０】
[0088]図１６ｂに示す３ＧＰＰ２に基づく例示的な電気通信システムにおいて、１つまたは複数の以下のインターフェースが変更され得る。たとえば、ＥＶＳのためのサービスオプションは、ＵＥ１６５０とＢＴＳ１６６２との間のインターフェース中に追加され得る。たとえば、ＢＳＣ１６６４とＭＳＣ１６７２との間のインターフェース（Ａ２インターフェースとも呼ばれる）は、ＥＶＳをサポートするように更新され得る。様々な例では、Ａ２インターフェースは、ＭＳＣ１６７２のスイッチ構成要素とＢＳＣ１６６４の選択分配ユニット（ＳＤＵ：Selection Distribution Unit）との間で統合サービスデジタルネットワーク（ＩＳＤＮ）のための６４／５６ｋｂｐｓのパルス符号変調（ＰＣＭ）情報（たとえば、回路指向音声）または６４ｋｂｐｓの無制限デジタル情報（ＵＤＩ）を搬送し得る。
【００７１】
[0089]たとえば、ＢＳＣ１６６４とＰＤＳＮ１６７６との間のインターフェース（Ａ２ｐインターフェースとも呼ばれる）は、ＥＶＳをサポートするように更新され得る。様々な例では、ＢＳＣ１６６４とメディアゲートウェイとの間のインターフェース、ここにおいて、メディアゲートウェイは、ＰＤＳＮ１６７６内にあるか、またはＰＤＳＮ１６７６に結合され得る、は、ＥＶＳをサポートするように更新され得る。様々な例では、Ａ２ｐインターフェースは、パケットベースのユーザトラフィックセッションのための経路を与え得る。様々な例では、Ａ２ｐインターフェースは、ＢＳＣ１６６４とＰＤＳＮ１６７６との間で（またはＢＳＣ１６６４とメディアゲートウェイとの間で）インターネットプロトコル（ＩＰ）パケットを介して音声情報を搬送し得る。様々な例では、合法的傍受手順がＥＶＳに適合される。
【００７２】
[0090]図１２は、様々なワイヤレス通信ネットワークを用いる異種ネットワークアーキテクチャ１２００の一例を概念的に示す図である。様々なワイヤレス通信ネットワークの例としては、４Ｇ−ＬＴＥ、３Ｇ（ＷＣＤＭＡおよびｃｄｍａ２０００）、ＷＬＡＮ（たとえば、ＷｉＦｉ）およびブロードバンド固定ネットワークを介するＥＶＳがあり得る。様々な例では、本開示によるこれらの様々なワイヤレス通信ネットワークの使用により、ネットワーク間の呼にわたってトランスコーディングすることがなくなり得る。
【００７３】
[0091]図１３は、ＥＶＳとｃｄｍａ２０００  １ｘアドバンストレートボコーダとの両方のための平均レート寄与度の例示的な比較を示すチャート１３００である。比較は、無データと、無音挿入記述子（ＳＩＤ）フレームと、ポイントツーポイントプロトコル（ＰＰＰ）フレームと、雑音励振線形予測（ＮＥＬＰ）フレームと、代数符号励振線形予測（ＡＣＥＬＰ）フレームと含むトラフィックの混合を使用する。
【００７４】
[0092]図１４は、他のボコーダに比較したＥＶＳ−ＷＢ５．９音声品質の一例を示すチャート１４００である。チャートで提示するように、ＮＢは狭帯域を表し、ＷＢは広帯域を表す。水平軸上の異なるタイプのコーデック（たとえば、ＡＭＲ、ＥＶＲＣなど）を音声品質とアクティブ音声平均ビットレートとに関して垂直軸上にグラフで示す。図１４に示すように、音声品質を劣化平均オピニオン評点（ＤＭＯＳ）で提示し、アクティブ音声平均ビットレートをキロビット毎秒（ｋｂｐｓ）で提示する。一般に、ＤＭＯＳの値が高くなるほど、１．０〜５．０のスケールで主観的音声品質が良くなることを示す。図１４のチャートで提示する例では、ＥＶＳ−ＮＢ５．９は、品質損失なしにより良い容量（すなわち、より低い平均ビットレート）を与え、容量損失なしにより良い品質（すなわち、より高いＤＭＯＳ）を与え得る。図１４のチャートで提示する例では、ＥＶＳ−ＷＢ５．９は、ＡＭＲ−ＷＢ１２．６５のビットレートの半分で高精細（ＨＤ）音声品質を提供し得る。図１４のチャートで提示する例では、ＥＶＳ５．９は、最低限のネットワーク容量損失でコーデックフレーム構造の既存のＥＶＲＣファミリーに適合し得る。
【００７５】
[0093]図１５は、処理システム１５１４を採用する装置１５００のためのハードウェア実装形態の一例を示すブロック図である。この例では、処理システム１５１４は、バス１５０２によって概略的に表されるバスアーキテクチャを用いて実装され得る。バス１５０２は、処理システム１５１４の特定の適用例および全体的な設計制約に応じて、任意の数の相互接続バスおよびブリッジを含み得る。バス１５０２は、プロセッサ１５０４によって概略的に表される１つまたは複数のプロセッサと、メモリ１５０５によって概略的に表されるメモリと、コンピュータ可読媒体１５０６によって概略的に表されるコンピュータ可読媒体とを含む様々な回路を互いにリンクする。バス１５０２はまた、タイミングソース、周辺装置、電圧調整器、および電力管理回路など、様々な他の回路をリンクしてもよいが、これらの回路は当技術分野においてよく知られており、したがって、これらの回路についてはこれ以上説明しない。バスインターフェース１５０８は、バス１５０２とトランシーバ１５１０との間のインターフェースを与える。トランシーバ１５１０は、伝送媒体を介して様々な他の装置と通信するための手段を与える。装置の性質に応じて、ユーザインターフェース１５１２（たとえば、キーパッド、ディスプレイ、スピーカー、マイクロフォン、ジョイスティック）も与えられ得る。
【００７６】
[0094]プロセッサ１５０４は、バス１５０２を管理することと、コンピュータ可読媒体１５０６に記憶されたソフトウェアの実行を含む一般的な処理とを担当する。ソフトウェアは、プロセッサ１５０４によって実行されたとき、処理システム１５１４に、特定の装置のための以下で説明される様々な機能を実行させる。コンピュータ可読媒体１５０６はまた、ソフトウェアを実行するときにプロセッサ１５０４によって操作されるデータを記憶するために使用され得る。
【００７７】
[0095]本開示全体にわたって提示する様々な概念は、多種多様な電気通信システム、ネットワークアーキテクチャ、および通信規格にわたって実装され得る。図１６ａは、３ＧＰＰに基づく電気通信システムの一例を概念的に示すブロック図である。限定はしないが、例として、Ｗ−ＣＤＭＡエアインターフェースを採用するＵＭＴＳシステム１６００に関して、図１６ａに示す本開示の態様を提示する。ＵＭＴＳネットワークは、コアネットワーク（ＣＮ）１６０４、ＵＭＴＳ地上波無線アクセスネットワーク（ＵＴＲＡＮ）１６０２、およびユーザ機器（ＵＥ）１６１０という、３つの対話ドメインを含む。この例では、ＵＴＲＡＮ１６０２は、電話、ビデオ、データ、メッセージング、ブロードキャストを含む様々なワイヤレスサービス、および／または他のサービスを提供する。ＵＴＲＡＮ１６０２は、無線ネットワークコントローラ（ＲＮＣ）１６０６などのそれぞれのＲＮＣによってそれぞれ制御される、無線ネットワークサブシステム（ＲＮＳ）１６０７などの複数のＲＮＳを含み得る。ここで、ＵＴＲＡＮ１６０２は、本明細書に示されているＲＮＣ１６０６とＲＮＳ１６０７とに加えて、任意の数のＲＮＣ１６０６とＲＮＳ１６０７とを含み得る。ＲＮＣ１６０６は、特に、ＲＮＳ１６０７内で無線リソースを割り当て、再構成および解放することを担当する装置である。ＲＮＣ１６０６は、任意の好適なトランスポートネットワークを使用して、直接物理接続、仮想ネットワークなど、様々なタイプのインターフェースを通してＵＴＲＡＮ１６０２中の他のＲＮＣ（図示せず）に相互接続され得る。
【００７８】
[0096]ＵＥ１６１０とノードＢ１６０８との間の通信は、物理（ＰＨＹ）レイヤと媒体アクセス制御（ＭＡＣ）レイヤとを含むものと見なされ得る。さらに、それぞれのノードＢ１６０８を介したＵＥ１６１０とＲＮＣ１６０６との間の通信は、無線リソース制御（ＲＲＣ）レイヤを含むものと見なされ得る。本明細書では、ＰＨＹレイヤはレイヤ１と見なされ得、ＭＡＣレイヤはレイヤ２と見なされ得、ＲＲＣレイヤはレイヤ３と見なされ得る。
【００７９】
[0097]ＲＮＳ１６０７によってカバーされる地理的領域は、いくつかのセルに分割され得、無線トランシーバ装置が各セルをサービスし得る。無線トランシーバ装置は、ＵＭＴＳ適用例では一般にノードＢと呼ばれるが、当業者によって、基地局（ＢＳ）、トランシーバ基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または何らかの他の好適な用語で呼ばれることもある。明快のために、各ＲＮＳ１６０７中に３つのノードＢ１６０８が示されているが、ＲＮＳ１６０７は任意の数のワイヤレスノードＢを含み得る。ノードＢ１６０８は、任意の数のモバイル装置にＣＮ１６０４へのワイヤレスアクセスポイントを与える。ＵＭＴＳシステムでは、ＵＥ１６１０は、ネットワークへのユーザの加入情報を含んでいる汎用加入者識別モジュール（ＵＳＩＭ）１６１１をさらに含み得る。説明のために、いくつかのノードＢ１６０８と通信している１つのＵＥ１６１０が示されている。順方向リンクとも呼ばれるＤＬは、ノードＢ１６０８からＵＥ１６１０への通信リンクを指し、逆方向リンクとも呼ばれるＵＬは、ＵＥ１６１０からノードＢ１６０８への通信リンクを指す。
【００８０】
[0098]ＣＮ１６０４は、ＵＴＲＡＮ１６０２などの１つまたは複数のアクセスネットワークとインターフェースする。図示のように、ＣＮ１６０４はＧＳＭコアネットワークである。ただし、当業者なら認識するように、本開示全体にわたって提示する様々な概念は、ＧＳＭネットワーク以外のタイプのＣＮへのアクセスをＵＥに与えるために、ＲＡＮ、または他の好適なアクセスネットワークにおいて実装され得る。
【００８１】
[0099]ＣＮ１６０４は、回線交換（ＣＳ）ドメインとパケット交換（ＰＳ）ドメインとを含む。回線交換要素のいくつかは、モバイルサービス交換センター（ＭＳＣ）、ビジターロケーションレジスタ（ＶＬＲ）、およびゲートウェイＭＳＣである。パケット交換要素は、サービングＧＰＲＳサポートノード（ＳＧＳＮ）と、ゲートウェイＧＰＲＳサポートノード（ＧＧＳＮ）とを含む。ＥＩＲ、ＨＬＲ、ＶＬＲおよびＡｕＣのような、いくつかのネットワーク要素は、回線交換ドメインとパケット交換ドメインの両方によって共有され得る。図示の例では、ＣＮ１６０４は、ＭＳＣ１６１２およびＧＭＳＣ１６１４を用いて、回線交換サービスをサポートする。いくつかの適用例では、ＧＭＳＣ１６１４はメディアゲートウェイ（ＭＧＷ）と呼ばれることがある。ＲＮＣ１６０６など、１つまたは複数のＲＮＣがＭＳＣ１６１２に接続され得る。ＭＳＣ１６１２は、呼セットアップ機能と、呼ルーティング機能と、ＵＥモビリティ機能とを制御する装置である。ＭＳＣ１６１２は、またＵＥがＭＳＣ１６１２のカバレージエリア中にある持続時間の間の加入者関係情報を含んでいるＶＬＲを含む。ＧＭＳＣ１６１４は、ＵＥが回線交換ネットワーク１６１６にアクセスするために、ＭＳＣ１６１２を介したゲートウェイを与える。ＧＭＳＣ１６１４は、特定のユーザが加入したサービスの詳細を反映するデータなどの加入者データを含んでいるホームロケーションレジスタ（ＨＬＲ）１６１５を含む。ＨＬＲはまた、加入者固有の認証データを含んでいる認証センター（ＡｕＣ）に関連付けられる。特定のＵＥ向けの呼が受信されると、ＧＭＳＣ１６１４はＨＬＲ１６１５に問い合わせてＵＥのロケーションを決定し、そのロケーションをサービスする特定のＭＳＣに呼を転送する。
【００８２】
[00100]ＣＮ１６０４は、サービングＧＰＲＳサポートノード（ＳＧＳＮ）１６１８とゲートウェイＧＰＲＳサポートノード（ＧＧＳＮ）１６２０とを用いてパケットデータサービスをもサポートする。汎用パケット無線サービス（General Packet Radio Service）を表すＧＰＲＳは、標準の回線交換データサービスで利用可能な速度よりも高い速度でパケットデータサービスを提供するように設計されている。ＧＧＳＮ１６２０は、パケットベースネットワーク１６２２への接続をＵＴＲＡＮ１６０２に与える。パケットベースネットワーク１６２２は、インターネット、プライベートデータネットワーク、または何らかの他の好適なパケットベースネットワークであり得る。ＧＧＳＮ１６２０の主要機能は、ＵＥ１６１０にパケットベースネットワーク接続性を与えることである。データは、ＳＧＳＮ１６１８を通してザ１６２０とＵＥ１６１０との間で転送され得、ＳＧＳＮ１６１８は、主に、ＭＳＣ１６１２が回線交換ドメインで実行するのと同じ機能をパケットベースドメインで実行する。
【００８３】
[00101]ＵＭＴＳのためのエアインターフェースは、スペクトラム拡散直接シーケンス符号分割多元接続（ＤＳ−ＣＤＭＡ：Direct-Sequence Code Division Multiple Access）システムを利用し得る。スペクトラム拡散ＤＳ−ＣＤＭＡは、チップと呼ばれる擬似ランダムビットのシーケンスによる乗算によってユーザデータを拡散する。ＵＭＴＳのための「広帯域」Ｗ−ＣＤＭＡエアインターフェースは、そのような直接シーケンススペクトラム拡散技術に基づき、さらに周波数分割複信（ＦＤＤ）を必要とする。ＦＤＤは、ノードＢ１６０８とＵＥ１６１０との間のＵＬとＤＬとのために異なるキャリア周波数を使用する。ＤＳ−ＣＤＭＡを利用し、時分割複信（ＴＤＤ）を使用する、ＵＭＴＳのための別のエアインターフェースは、ＴＤ−ＳＣＤＭＡエアインターフェースである。本明細書で説明する様々な例はＷ−ＣＤＭＡエアインターフェースに言及することがあるが、基礎をなす原理は、ＴＤ−ＳＣＤＭＡエアインターフェースに等しく適用可能であり得ることを当業者は認識されよう。
【００８４】
[00102]図１６ｂは、ｃｄｍａ２０００インターフェースを採用する３ＧＰＰ２に基づく電気通信システムの一例を概念的に示すブロック図１６４０である。３ＧＰＰ２ネットワークは、（移動局（ＭＳ）と呼ばれることもある）ユーザ機器（ＵＥ）１６５０と、無線アクセスネットワーク（ＲＡＮ）１６６０と、コアネットワーク（ＣＮ）１６７０との３つの対話ドメインを含み得る。様々な例では、ＲＡＮ１６６０は、電話、ビデオ、データ、メッセージング、ブロードキャストを含む様々なワイヤレスサービス、および／または他のサービスを提供する。ＲＡＮ１６６０は、各々がそれぞれの基地局コントローラ（ＢＳＣ）１６６４によって制御される複数のトランシーバ基地局（ＢＴＳ）１６６２を含み得る。コアネットワーク（ＣＮ）１６７０は、ＲＡＮ１６６０などの１つまたは複数のアクセスネットワークとインターフェースする。ＣＮ１６７０は、回線交換（ＣＳ）ドメインとパケット交換（ＰＳ）ドメインとを含み得る。回線交換要素のうちのいくつかは、公衆交換電話網（ＰＳＴＮ）１６８０に接続するためのモバイル交換センター（ＭＳＣ）１６７２およびインターネット１６９０などのネットワークに接続するための相互接続機能（ＩＷＦ）１６７４である。パケット交換要素は、インターネット１６９０などのネットワークに接続するためにパケットデータサービングノード（ＰＤＳＮ）１６７６とホームエージェント（ＨＡ）１６７８とを含み得る。さらに、様々なセキュリティおよび管理機能を実行するために、コアネットワーク（ＣＮ）１６７０中に認証、認可、および課金（ＡＡＡ）機能（図示せず）が含まれ得る。
【００８５】
[00103]ＵＥの例としては、セルラーフォン、スマートフォン、セッション開始プロトコル（ＳＩＰ）フォン、ラップトップ、ノートブック、ネットブック、スマートブック、携帯情報端末（ＰＤＡ）、衛星ラジオ、全地球測位システム（ＧＰＳ）デバイス、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥは、一般にモバイル装置と呼ばれるが、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の好適な用語でも呼ばれることもある。
【００８６】
[00104]図１７は、アクセスネットワークの一例を示す概念図である。図１７を参照すると、ＵＴＲＡＮまたはＲＡＮアーキテクチャ中のアクセスネットワーク１７００が示されている。多元接続ワイヤレス通信システムは、１つまたは複数のセクタを各々が含み得る、セル１７０２、１７０４、および１７０６を含む、複数のセルラー領域（セル）を含む。複数のセクタはアンテナのグループによって形成され得、各アンテナは、セルの一部分においてＵＥとの通信を担当する。たとえば、セル１７０２では、アンテナグループ１７１２、１７１４、および１７１６は異なるセクタにそれぞれ対応し得る。セル１７０４では、アンテナグループ１７１８、１７２０、および１７２２は異なるセクタにそれぞれ対応する。セル１７０６では、アンテナグループ１７２４、１７２６、および１７２８は異なるセクタにそれぞれ対応する。セル１７０２、１７０４および１７０６は、各セル１７０２、１７０４または１７０６の１つまたは複数のセクタと通信していることがある、いくつかのワイヤレス通信デバイス、たとえば、ユーザ機器またはＵＥを含み得る。たとえば、ＵＥ１７３０および１７３２は基地局１７４２と通信していることがあり、ＵＥ１７３４および１７３６は基地局１７４４と通信していることがあり、ＵＥ１７３８および１７４０は基地局１７４６と通信していることがある。本明細書で行う基地局への言及は、図１６ａのノードＢ１６０８および／または図１６ｂのＢＴＳ１６６２を含み得る。
【００８７】
[00105]ここで、各基地局１７４２、１７４４、１７４６は、それぞれのセル１７０２、１７０４、および１７０６中のすべてのＵＥ１７３０、１７３２、１７３４、１７３６、１７３８、１７４０に、コアネットワーク（図１６ａ、図１６ｂ参照）へのアクセスポイントを提供するように構成される。
【００８８】
[00106]ＵＥ１７３４がセル１７０４中の図示されたロケーションからセル１７０６中に移動すると、ＵＥ１７３４との通信が、ソースセルと呼ばれ得るセル１７０４から、ターゲットセルと呼ばれ得るセル１７０６に遷移する、サービングセル変更（ＳＣＣ）またはハンドオーバが行われ得る。ハンドオーバ手順の管理は、ＵＥ１７３４において、それぞれのセルに対応する基地局において、無線ネットワークコントローラ（ＲＮＣ）１６０６または基地局コントローラ（ＢＳＣ）１６６４（図１６ａ、図１６ｂ参照）において、またはワイヤレスネットワーク中の別の好適なノードにおいて行われ得る。たとえば、ソースセル１７０４との呼中に、または任意の他の時間において、ＵＥ１７３４は、ソースセル１７０４の様々なパラメータ、ならびにセル１７０６および１７０２などの近隣セルの様々なパラメータを監視し得る。さらに、これらのパラメータの品質に応じて、ＵＥ１７３４は、近隣セルのうちの１つまたは複数との通信を維持し得る。この時間中に、ＵＥ１７３４は、アクティブセット、すなわち、ＵＥ１７３４が同時に接続されるセルのリストを維持し得る（すなわち、ダウンリンク専用物理チャネルＤＰＣＨまたはフラクショナルダウンリンク専用物理チャネルＦ−ＤＰＣＨをＵＥ１７３４に現在割り当てているＵＴＲＡセルが、アクティブセットを構成し得る）。
【００８９】
[00107]アクセスネットワーク１７００によって採用される変調および多元接続方式は、展開されている特定の電気通信規格に応じて異なり得る。例として、規格はエボリューションデータオプティマイズド（ＥＶ−ＤＯ）またはウルトラモバイルブロードバンド（ＵＭＢ）を含み得る。ＥＶ−ＤＯおよびＵＭＢは、ｃｄｍａ２０００規格ファミリーの一部として第３世代パートナーシッププロジェクト２（３ＧＰＰ２）によって公表されたエアインターフェース規格であり、ユーザ機器（たとえば、移動局）にブロードバンドインターネットアクセスを与えるためにＣＤＭＡを採用する。規格は、代替的に、広帯域ＣＤＭＡ（Ｗ−ＣＤＭＡ）とＴＤ−ＳＣＤＭＡなどのＣＤＭＡの他の変形形態とを採用するユニバーサル地上波無線アクセス（ＵＴＲＡ）、ＴＤＭＡを採用するモバイル通信用グローバルシステム（ＧＳＭ）、ならびに、ＯＦＤＭＡを採用する、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭであり得る。ＵＴＲＡ、Ｅ−ＵＴＲＡ、ＵＭＴＳ、ロングタームエボリューション（ＬＴＥ）、ＬＴＥアドバンストおよびＧＳＭについては、３ＧＰＰ団体からの文書に記載されている。ｃｄｍａ２０００およびＵＭＢについては、３ＧＰＰ２団体からの文書に記載されている。採用される実際のワイヤレス通信規格および多元接続技術は、特定の適用例およびシステムに課された全体的な設計制約に依存する。
【００９０】
[00108]無線プロトコルアーキテクチャは、特定の適用例に応じて様々な形態をとり得る。図１８は、ユーザプレーンおよび制御プレーンのための無線プロトコルアーキテクチャ１８００の一例を示す概念図である。図１８を参照すると、ＵＥと基地局とのための無線プロトコルアーキテクチャは、レイヤ１、レイヤ２、およびレイヤ３の３つのレイヤで示される。レイヤ１は最下位ローワであり、様々な物理レイヤ信号処理機能を実装する。レイヤ１を本明細書では物理レイヤ１８０６と呼ぶ。レイヤ２（Ｌ２レイヤ）１８０８は物理レイヤ１８０６の上にあり、物理レイヤ１８０６を介したＵＥと基地局との間のリンクを担当する。
【００９１】
[00109]ユーザプレーンでは、Ｌ２レイヤ１８０８は、ネットワーク側の基地局において終端される、メディアアクセス制御（ＭＡＣ：media access control）サブレイヤ１８１０と、無線リンク制御（ＲＬＣ：radio link control）サブレイヤ１８１２と、パケットデータコンバージェンスプロトコル（ＰＤＣＰ：packet data convergence protocol）１８１４サブレイヤとを含む。図示されていないが、ＵＥは、ネットワーク側のＰＤＮゲートウェイにおいて終端されるネットワークレイヤ（たとえば、ＩＰレイヤ）と、接続の他端（たとえば、ファーエンドＵＥ、サーバなど）において終端されるアプリケーションレイヤを含む、Ｌ２レイヤ１８０８の上のいくつかの上位レイヤを有し得る。
【００９２】
[00110]ＰＤＣＰサブレイヤ１８１４は、異なる無線ベアラと論理チャネルとの間で多重化を提供する。また、ＰＤＣＰサブレイヤ１８１４は、無線送信オーバヘッドを低減するための上位レイヤデータのためのヘッダ圧縮と、データを暗号化することによるセキュリティと、ＵＥのための基地局間ハンドオーバサポートとを提供する。ＲＬＣサブレイヤ１８１２は、上位レイヤデータのセグメント化および再アセンブリと、紛失データの再送信と、ハイブリッド自動再送要求（ＨＡＲＱ）に起因して順が狂った受信を補償するためのデータの並べ替えとを行う。ＭＡＣサブレイヤ１８１０は、論理チャネルとトランスポートチャネルとの間の多重化を提供する。ＭＡＣサブレイヤ１８１０はまた、１つのセルの中の様々な無線リソース（たとえば、リソースブロック）をＵＥの間で割り振ることを担当する。ＭＡＣサブレイヤ１８１０はまたＨＡＲＱ動作を担当する。
【００９３】
[00111]図１９は、ＵＥ１９５０と通信している基地局（ＢＳ）１９１０のブロック図１９００であり、ここで、基地局１９１０は、それぞれ図１６ａ、図１６ｂ中のノードＢ１６０８またはＢＴＳ１６６２であり得、ＵＥ１９５０は、図１６ａ、図１６ｂ中のＵＥ１６１０、１６５０であり得る。ダウンリンク通信では、送信プロセッサ１９２０は、データソース１９１２からデータを受信し、コントローラ／プロセッサ１９４０から制御信号を受信し得る。送信プロセッサ１９２０は、データおよび制御信号、ならびに基準信号（たとえば、パイロット信号）のための様々な信号処理機能を提供する。たとえば、送信プロセッサ１９２０は、誤り検出のための巡回冗長検査（ＣＲＣ）コードと、前方誤り訂正（ＦＥＣ）を可能にするためのコーディングおよびインターリービングと、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、Ｍ直交振幅変調（Ｍ−ＱＡＭ）など）に基づく信号コンスタレーションへのマッピングと、直交可変拡散率（ＯＶＳＦ）による拡散と、一連のシンボルを生成するためのスクランブリングコードによる乗算とを提供し得る。チャネルプロセッサ１９４４からのチャネル推定値は、送信プロセッサ１９２０のためのコーディング、変調、拡散、および／またはスクランブリング方式を決定するために、コントローラ／プロセッサ１９４０によって使用され得る。これらのチャネル推定値は、ＵＥ１９５０によって送信される基準信号から、またはＵＥ１９５０からのフィードバックから導出され得る。送信プロセッサ１９２０によって生成されたシンボルは、フレーム構造を作成するために、送信フレームプロセッサ１９３０に与えられる。送信フレームプロセッサ１９３０は、それらのシンボルをコントローラ／プロセッサ１９４０からの情報と多重化することによってこのフレーム構造を作成し、一連のフレームを生じる。それらのフレームは、次いで、送信機１９３２に与えられ、送信機１９３２は、アンテナ１９３４を通したワイヤレス媒体を介したダウンリンク送信のために、フレームを増幅し、フィルタリングし、キャリア上に変調することを含む、様々な信号調整機能を提供する。アンテナ１９３４は、たとえば、ビームステアリング双方向アダプティブアンテナアレイ、または、他の同様のビーム技術を含む、１つまたは複数のアンテナを含み得る。
【００９４】
[00112]ＵＥ１９５０において、受信機１９５４は、アンテナ１９５２を通してダウンリンク送信を受信し、その送信を処理して、キャリア上に変調された情報を復元する。受信機１９５４によって復元された情報は、受信フレームプロセッサ１９６０に与えられ、受信フレームプロセッサ１９６０は、各フレームをパースし、フレームからの情報をチャネルプロセッサ１９９４に与え、データと、制御信号と、基準信号とを受信プロセッサ１９７０に与える。受信プロセッサ１９７０は、次いで、基地局１９１０において送信プロセッサ１９２０によって実行される処理の逆を実行する。より具体的には、受信プロセッサ１９７０は、シンボルを逆スクランブルおよび逆拡散し、次いで、変調方式に基づいて、基地局１９１０によって送信された、可能性が最も高い信号コンスタレーションポイント決定する。これらの軟判定は、チャネルプロセッサ１９９４によって計算されたチャネル推定値に基づき得る。軟判定は、次いで、データと、制御信号と、基準信号とを復元するために、復号およびデインターリーブされる。次いで、フレームの復号に成功したのかどうかを決定するためにＣＲＣコードがチェックされる。復号に成功したフレームによって搬送されたデータは、次いで、データシンク１９７２に与えられることになり、データシンク１９７２は、ＵＥ１９５０中で動作しているアプリケーション、および／または様々なユーザインターフェース（ディスプレイ）を表す。復号に成功したフレームによって搬送された制御信号は、コントローラ／プロセッサ１９９０に与えられる。受信機プロセッサ１９７０がフレームの復号に失敗すると、コントローラ／プロセッサ１９９０はまた、それらのフレームについての再送信要求をサポートするために、肯定応答（ＡＣＫ）および／または否定応答（ＮＡＣＫ）プロトコルを使用し得る。
【００９５】
[00113]アップリンクでは、データソース１９７８からのデータと、コントローラ／プロセッサ１９９０からの制御信号とが、送信プロセッサ１９８０に与えられる。データソース１９７８は、ＵＥ１９５０中で動作しているアプリケーション、および様々なユーザインターフェース（たとえば、キーボード）を表し得る。基地局１９１０によるダウンリンク送信に関して説明した機能と同様に、送信プロセッサ１９８０は、ＣＲＣコードと、ＦＥＣを可能にするためのコーディングおよびインターリービングと、信号コンスタレーションへのマッピングと、ＯＶＳＦによる拡散と、一連のシンボルを生成するためのスクランブリングとを含む、様々な信号処理機能を提供する。チャネルプロセッサ１９９４によって、基地局１９１０によって送信された基準信号から、または基地局１９１０によって送信されたミッドアンブル中に含まれているフィードバックから導出されたチャネル推定値は、適切なコーディング、変調、拡散、および／またはスクランブリング方式を選択するために使用され得る。送信プロセッサ１９８０によって生成されたシンボルは、フレーム構造を作成するために、送信フレームプロセッサ１９８２に与えられる。送信フレームプロセッサ１９８２は、それらのシンボルをコントローラ／プロセッサ１９９０からの情報と多重化することによってこのフレーム構造を作成し、一連のフレームを生じる。それらのフレームは、次いで、送信機１９５６に与えられ、送信機１９５６は、アンテナ１９５２を通したワイヤレス媒体を介したアップリンク送信のために、フレームの増幅と、フィルタリングと、キャリア上への変調とを含む、様々な信号調整機能を提供する。
【００９６】
[00114]アップリンク送信は、ＵＥ１９５０における受信機機能に関して説明した方法と同様の方法で基地局１９１０において処理される。受信機１９３５は、アンテナ１９３４を通してアップリンク送信を受信し、この送信を処理して、キャリア上に変調された情報を復元する。受信機１９３５によって復元された情報は、受信フレームプロセッサ１９３６に与えられ、受信フレームプロセッサ１９３６は、各フレームをパースし、フレームからの情報をチャネルプロセッサ１９４４に与え、データと、制御信号と、基準信号とを受信プロセッサ１９３８に与える。受信プロセッサ１９３８は、ＵＥ１９５０において送信プロセッサ１９８０によって実行される処理の逆を実行する。復号に成功したフレームによって搬送されたデータおよび制御信号は、次いで、それぞれデータシンク１９３９およびコントローラ／プロセッサ１９４０に与えられ得る。受信プロセッサがフレームの一部の復号に失敗した場合、コントローラ／プロセッサ１９４０はまた、それらのフレームについての再送信要求をサポートするために、肯定応答（ＡＣＫ）および／または否定応答（ＮＡＣＫ）プロトコルを使用し得る。
【００９７】
[00115]コントローラ／プロセッサ１９４０および１９９０は、それぞれ基地局１９１０における動作およびＵＥ１９５０における動作を指示するために使用され得る。たとえば、コントローラ／プロセッサ１９４０および１９９０は、タイミング、周辺インターフェース、電圧調整、電力管理、および他の制御機能を含む、様々な機能を提供し得る。メモリ１９４２および１９９２のコンピュータ可読媒体は、それぞれ基地局１９１０およびＵＥ１９５０のためのデータとソフトウェアとを記憶し得る。基地局１９１０におけるスケジューラ／プロセッサ１９４６は、リソースをＵＥに割り振るために、ならびにＵＥのためのダウンリンクおよび／またはアップリンク送信をスケジュールするために使用され得る。
【００９８】
[00116]様々な例では、ＥＶＳカバレージを用いるワイヤレスネットワークは、ＥＶＳカバレージなしのワイヤレスネットワーク、すなわち、非ネイティブＥＶＳシステムにハンドオーバされ得る。たとえば、ＬＴＥカバレージ内のＵＥは、ＥＶＳなしの別のカバレージ、たとえば、３ＧＰＰ２カバレージにハンドオーバされ得る。トランスコーダは、異なるフォーマット間のトランスコーディングの必要による遅延のあり得る増大とオーディオ品質の低下とともに、ＥＶＳカバレージに対する互換性を可能にするために使用され得る。
【００９９】
[00117]図２０は、本開示の態様による、１つまたは複数の機能を実行するように構成され得る、処理回路２００２を採用する装置のためのハードウェア実装形態の簡略化された例を示す概念図２０００である。本開示の様々な態様によれば、本明細書で開示される要素、または要素の任意の部分、または要素の任意の組合せが、処理回路２００２を利用して実装され得る。処理回路２００２は、ハードウェアおよびソフトウェアモジュールのいくつかの組合せによって制御される１つまたは複数のプロセッサ２００４を含み得る。プロセッサ２００４の例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、シーケンサ、ゲート論理、個別ハードウェア回路、および本開示全体にわたって説明される様々な機能を実行するように構成された他の好適なハードウェアがある。１つまたは複数のプロセッサ２００４は、特定の機能を実行し、ソフトウェアモジュール２０１６のうちの１つによって構成、再フォーマッティング、または制御され得る、専用プロセッサを含み得る。様々な態様では、ソフトウェアモジュール２０１６は、図１０および図１１の流れ図における特徴および／またはステップのうちの１つまたは複数を実行するための出口モジュール、入口モジュールおよび／またはルーティングモジュールを含み得る。
【０１００】
[00118]１つまたは複数のプロセッサ２００４は、初期化中にロードされるソフトウェアモジュール２０１６の組合せを通して構成され得、動作中に１つまたは複数のソフトウェアモジュール２０１６をロードまたはアンロードすることによってさらに構成され得る。
【０１０１】
[00119]図示の例では、処理回路２００２は、バス２０１０によって概略的に表されるバスアーキテクチャを用いて実装され得る。バス２０１０は、処理回路２００２の特定の適用例および全体的な設計制約に応じて、任意の数の相互接続バスおよびブリッジを含み得る。バス２０１０は、１つまたは複数のプロセッサ２００４（少なくとも１つプロセッサとも呼ばれる）とストレージ２００６とを含む様々な回路を互いにリンクする。ストレージ２００６は、メモリデバイスと大容量ストレージデバイスとを含み得、本明細書ではコンピュータ可読記憶媒体および／またはプロセッサ可読記憶媒体と呼ばれることがある。コンピュータ可読記憶媒体は、少なくとも１つプロセッサにいくつかの機能を実行させるための命令を含み得るコンピュータ実行可能コードを含み得る。バス２０１０は、タイミングソース、タイマー、周辺機器、電圧調節器、および電力管理回路など、様々な他の回路をもリンクし得る。バスインターフェース２００８は、バス２０１０と１つまたは複数のトランシーバ２０１２との間のインターフェースを与え得る。トランシーバ２０１２は、処理回路によってサポートされる各ネットワーキング技術のために与えられ得る。いくつかの事例では、複数のネットワーキング技術は、トランシーバ２０１２中で見つけられる回路または処理モジュールの一部または全部を共有し得る。各トランシーバ２０１２は、伝送媒体を介して様々な他の装置と通信するための手段を与える。装置の性質に応じて、ユーザインターフェース２０１８（たとえば、キーパッド、ディスプレイ、スピーカー、マイクロフォン、ジョイスティック）も与えられ得、直接またはバスインターフェース２００８を通してバス２０１０に通信可能に結合され得る。
【０１０２】
[00120]プロセッサ２００４は、バス２０１０を管理することと、ストレージ２００６を含み得るコンピュータ可読記憶媒体に記憶されたソフトウェアの実行を含み得る一般的な処理とを担当し得る。この点において、プロセッサ２００４を含む処理回路２００２は、本明細書で開示される方法、機能および技法のいずれかを実装するために使用され得る。ストレージ２００６は、ソフトウェアを実行するとき、プロセッサ２００４によって操作されるデータを記憶するために使用され得、ソフトウェアは、本明細書で開示される方法のいずれか１つを実装するように構成され得る。
【０１０３】
[00121]処理回路２００２中の１つまたは複数のプロセッサ２００４はソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、アルゴリズムなどを意味すると広く解釈されたい。ソフトウェアは、ストレージ２００６中または外部コンピュータ可読記憶媒体中にコンピュータ可読形式で存在し得る。外部コンピュータ可読記憶媒体および／またはストレージ２００６は非一時的コンピュータ可読記憶媒体を含み得る。非一時的コンピュータ可読記憶媒体は、例として、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、「フラッシュドライブ」、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読記憶媒体および／またはストレージ２００６はまた、例として、搬送波、伝送線路、ならびにコンピュータによってアクセスされ、読み取られ得るソフトウェアおよび／または命令を送信するための任意の他の好適な媒体を含み得る。コンピュータ可読記憶媒体および／またはストレージ２００６は、プロセッサ２００４中の処理回路２００２中に存在するか、処理回路２００２の外部にあるか、または処理回路２００２を含む複数のエンティティにわたって分散され得る。コンピュータ可読記憶媒体および／またはストレージ２００６は、コンピュータプログラム製品において具現化され得る。例として、コンピュータプログラム製品はパッケージング材料中にコンピュータ可読記憶媒体を含み得る。特定の適用例および全体的なシステムに課される全体的な設計制約に応じて、本開示全体にわたって提示される記載の機能をどのようにしたら最も良く実装することができるかを、当業者は認識されよう。
【０１０４】
[00122]ストレージ２００６は、本明細書ではソフトウェアモジュール２０１６と呼ばれることがある、ロード可能なコードセグメント、モジュール、アプリケーション、プログラムなどの中で維持および／または編成されたソフトウェアを維持し得る。ソフトウェアモジュール２０１６の各々は、処理回路２００２上にインストールまたはロードされ、１つまたは複数のプロセッサ２００４によって実行されたとき、１つまたは複数のプロセッサ２００４の動作を制御するランタイムイメージ２０１４に寄与する、命令およびデータを含み得る。実行されたとき、いくつかの命令は、処理回路２００２に、本明細書で説明されるいくつかの方法、アルゴリズムおよびプロセスによる機能を実行させ得る。様々な態様では、機能の各々は、図１０および図１１の１つまたは複数のブロックに開示した特徴および／またはステップにマッピングされる。
【０１０５】
[00123]ソフトウェアモジュール２０１６のうちのいくつかは、処理回路２００２の初期化中にロードされ得、これらのソフトウェアモジュール２０１６は、本明細書で開示される様々な機能の性能を可能にするように処理回路２００２を構成し得る。様々な態様では、ソフトウェアモジュール２０１６の各々は、図１０および図１１の１つまたは複数のブロックに開示した特徴および／またはステップにマッピングされる。たとえば、いくつかのソフトウェアモジュール２０１６は、プロセッサ２００４の入出力（Ｉ／Ｏ）論理、制御論理および他の論理２０２２を構成し得、トランシーバ２０１２、バスインターフェース２００８、ユーザインターフェース２０１８、タイマー、数学的コプロセッサなど、外部デバイスへのアクセスを管理し得る。ソフトウェアモジュール２０１６は、割込みハンドラおよびデバイスドライバと対話し、処理回路２００２によって与えられる様々なリソースへのアクセスを制御する、制御プログラムおよび／またはオペレーティングシステムを含み得る。リソースは、メモリ、処理時間、トランシーバ２０１２、ユーザインターフェース２０１８へのアクセスなどを含み得る。
【０１０６】
[00124]処理回路２００２の１つまたは複数のプロセッサ２００４は多機能であり得、それにより、ソフトウェアモジュール２０１６のうちのいくつかが異なる機能または同じ機能の異なるインスタンスを実行するようにロードされ、構成される。１つまたは複数のプロセッサ２００４は、たとえば、ユーザインターフェース２０１８、トランシーバ２０１２、およびデバイスドライバからの入力に応答して開始されるバックグラウンドタスクを管理するようにさらに適応され得る。複数の機能の性能をサポートするために、１つまたは複数のプロセッサ２００４は、マルチタスキング環境を与えるように構成され得、それにより、複数の機能の各々が、必要または所望に応じて、１つまたは複数のプロセッサ２００４によってサービスされるタスクのセットとして実装される。様々な例では、マルチタスキング環境は、異なるタスク間にプロセッサ２００４の制御を受け渡す時分割プログラム２０２０を利用して実装され得、それにより、各タスクは、未処理の動作の完了時におよび／または割込みなどの入力に応答して、１つまたは複数のプロセッサ２００４の制御を時分割プログラム２０２０に戻す。タスクが１つまたは複数のプロセッサ２００４の制御を有するとき、処理回路は、制御タスクに関連する機能によって対処される目的のために効果的に専用化される。時分割プログラム２０２０は、オペレーティングシステム、ラウンドロビンベースで制御を転送するメインループ、機能の優先度付けに従って１つまたは複数のプロセッサ２００４の制御を割り振る機能、および／または処理機能に１つまたは複数のプロセッサ２００４の制御を与えることによって外部イベントに応答する割込み駆動型メインループを含み得る。様々な態様では、ランタイムイメージ２０１４中の機能１〜機能Ｎとして示してある機能は、図１０および図１１の流れ図に開示した特徴および／またはステップのうちの１つまたは複数を含み得る。
【０１０７】
[00125]様々な例では、流れ図１０００および１１００の方法は、図１５〜図２０に示す例示的なシステムのうちの１つまたは複数によって実施され得る。様々な例では、（図１０〜図１１に示した）流れ図１０００および１１００の方法は、説明した機能を実行するための任意の他の好適な装置または手段によって実施され得る。
【０１０８】
[00126]Ｗ−ＣＤＭＡシステムに関して電気通信システムのいくつかの態様を提示した。当業者なら容易に諒解するように、本開示全体にわたって説明した様々な態様は、他の電気通信システム、ネットワークアーキテクチャおよび通信規格に拡張され得る。
【０１０９】
[00127]例として、様々な態様は、ＴＤ−ＳＣＤＭＡおよびＴＤ−ＣＤＭＡなどの他のＵＭＴＳシステムに拡張され得る。様々な態様はまた、（ＦＤＤ、ＴＤＤ、または両モードでの）ロングタームエボリューション（ＬＴＥ）、（ＦＤＤ、ＴＤＤ、または両モードでの）ＬＴＥアドバンスト（ＬＴＥ−Ａ）、ｃｄｍａ２０００、エボリューションデータオプティマイズド（ＥＶ−ＤＯ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、ウルトラワイドバンド（ＵＷＢ）、Ｂｌｕｅｔｏｏｔｈ（登録商標）、および／または他の好適なシステムを採用するシステムに拡張され得る。採用される実際の電気通信規格、ネットワークアーキテクチャ、および／または通信規格は、特定の適用例およびシステムに課される全体的な設計制約に依存することになる。
【０１１０】
[00128]本開示の様々な態様によれば、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実施するために構成された他の好適なハードウェアがある。
【０１１１】
[00129]処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈され得る。
【０１１２】
[00130]ソフトウェアは、コンピュータ可読媒体上に存在し得る。コンピュータ可読媒体は非一時的コンピュータ可読媒体であり得る。非一時的コンピュータ可読媒体は、例として、磁気ストレージデバイス（たとえば、ハードディスク、フロッピーディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、伝送線路、ならびにコンピュータによってアクセスされ、読み取られ得るソフトウェアおよび／または命令を送信するための任意の他の好適な媒体を含み得る。コンピュータ可読媒体は、処理システム内に存在するか、処理システムの外部にあるか、または処理システムを含む複数のエンティティにわたって分散され得る。コンピュータ可読媒体は、コンピュータプログラム製品において具現化され得る。例として、コンピュータプログラム製品はパッケージング材料中にコンピュータ可読媒体を含み得る。特定の適用例および全体的なシステムに課される全体的な設計制約に応じて、本開示全体にわたって提示される記載の機能をどのようにしたら最も良く実装することができるかを、当業者は認識されよう。
【０１１３】
[00131]開示した方法におけるステップの特定の順序または階層は、例示的なプロセスの一例であることを理解されたい。設計上の選好に基づいて、本方法におけるステップの特定の順序または階層は並べ替えられ得ることを理解されたい。添付の方法クレームは、様々なステップの要素を例示的な順序で提示しており、方法クレーム中で特に具陳されていない限り、提示された特定の順序または階層に限定されるものではない。
【０１１４】
[00132]以上の説明は、当業者が本明細書で説明した様々な態様を実施することができるようにするために提供したものである。これらの態様への様々な変更は当業者には容易に明らかであり、本明細書で定義された一般原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。項目のリスト「のうちの少なくとも１つ」を指す句は、個々のメンバーを含む、それらの項目の任意の組合せを指す。一例として、「ａ、ｂまたはｃのうちの少なくとも１つ」は、ａと、ｂと、ｃと、ａおよびｂと、ａおよびｃと、ｂおよびｃと、ａ、ｂおよびｃとを包含するように意図されている。当業者に知られている、または後に知られるようになる、本開示全体にわたって説明する様々な態様の要素の構造的および機能的な均等物のすべてが、参照により本明細書に明確に組み込まれ、特許請求の範囲によって包含されるように意図されている。さらに、本明細書において開示されたいかなることも、そのような開示が特許請求の範囲に明示的に列挙されているか否かにかかわらず、公に供するものではない。その要素が「ための手段」という語句を使用して明確に列挙されていない限り、または方法クレームの場合には、その要素が「ためのステップ」という語句を使用して列挙されていない限り、いかなるクレーム要素も米国特許法第１１２条第６項の規定に基づいて解釈されるべきではない。
以下に、本願出願の当初の特許請求の範囲に記載された発明を付記する。
［Ｃ１］
拡張音声サービス（ＥＶＳ）符号化のための方法であって、
符号化オーディオ信号と前記符号化オーディオ信号に関連するビットレートとを取得するためにオーディオ信号を符号化することと、
前記ビットレートに基づいて前記符号化オーディオ信号のためのソースフォーマットを確立することと、
パケットを生成するために、あらかじめ選択されたパターンで前記符号化オーディオ信号を再フォーマッティングすること、ここにおいて、前記パケットの容量は、前記ソースフォーマットに基づく、と
を備える、方法。
［Ｃ２］
前記オーディオ信号を生成することをさらに備え、前記オーディオ信号は、マイクロフォン、オーディオプレーヤ、トランスデューサまたは音声合成器のうちの１つによって生成される、
［Ｃ１］に記載の方法。
［Ｃ３］
被変調波形を生成するために前記パケットを変調することと、
オーディオ宛先に前記被変調波形を送信すること、ここにおいて、前記オーディオ宛先は、オーディオコンシューマである、と
をさらに備える、［Ｃ２］に記載の方法。
［Ｃ４］
前記あらかじめ選択されたパターンは、１つまたは複数の０フィルビット、１つまたは複数の１フィルビット、またはビットの任意のグループのうちの１つを含む、
［Ｃ１］に記載の方法。
［Ｃ５］
前記ソースフォーマットは、ｃｄｍａ２０００  １ｘのための無線構成（ＲＣ）である、
［Ｃ１］に記載の方法。
［Ｃ６］
前記無線構成（ＲＣ）は、前方誤り訂正（ＦＥＣ）パラメータと、変調パラメータと、拡散率とのうちの１つまたは複数を含むチャネルデータレートに基づく物理チャネル構成である、
［Ｃ５］に記載の方法。
［Ｃ７］
前記オーディオ信号は、音声信号または音楽信号のいずれかである、
［Ｃ１］に記載の方法。
［Ｃ８］
前記オーディオ信号は、狭帯域（ＮＢ）、広帯域（ＷＢ）、超広帯域（ＳＷＢ）または全帯域（ＦＢ）のサポートされる帯域幅のうちの１つでサポートされる、
［Ｃ１］に記載の方法。
［Ｃ９］
前記オーディオ信号は、０ｋＨｚ〜２０ｋＨｚの間の可聴周波数範囲にわたってサポートされる、
［Ｃ８］に記載の方法。
［Ｃ１０］
前記ビットレートは、前記オーディオ信号をサポートする、前記サポートされる帯域幅のうちの前記１つにマッピングされる拡張音声サービス（ＥＶＳ）ビットレートである、
［Ｃ８］に記載の方法。
［Ｃ１１］
前記符号化オーディオ信号は、５．９ｋｂｐｓの拡張音声サービス（ＥＶＳ）ソース制御可変ビットレート（ＳＣ−ＶＢＲ）、１３．２ｋｂｐｓの拡張音声サービス（ＥＶＳ）超広帯域（ＳＷＢ）チャネルアウェアモード（ｃｈ−ａｗモード）または拡張音声サービス（ＥＶＳ）パケットのうちの１つである、
［Ｃ１］に記載の方法。
［Ｃ１２］
前記パケットは、予約ビット、フラグビット、消去ビットまたは符号化器テールビットのうちの１つまたは複数を含む、
［Ｃ１］に記載の方法。
［Ｃ１３］
拡張音声サービス（ＥＶＳ）復号のための方法であって、
パケットに関連するデータレートを取得することと、
前記データレートに基づいて符号化オーディオ信号を復元するために前記パケットから１つまたは複数のあらかじめ選択されたパターンを破棄することと、
復号オーディオ信号を生成するために前記符号化オーディオ信号を復号することと
を備える、方法。
［Ｃ１４］
信号を受信することと、
前記受信信号を前記パケットに変換することと
をさらに備える、［Ｃ１３］に記載の方法。
［Ｃ１５］
オーディオ宛先に前記復号オーディオ信号を送ることをさらに備え、前記オーディオ宛先は、スピーカー、ヘッドフォン、記録デバイスまたはデジタルストレージデバイスのうちの１つである、
［Ｃ１４］に記載の方法。
［Ｃ１６］
前記１つまたは複数のあらかじめ選択されたパターンは、１つまたは複数の０フィルビット、１つまたは複数の１フィルビット、またはビットの任意のグループのうちの１つを含む、
［Ｃ１３］に記載の方法。
［Ｃ１７］
前記復号オーディオ信号は、音声信号または音楽信号である、
［Ｃ１３］に記載の方法。
［Ｃ１８］
前記復号オーディオ信号は、狭帯域（ＮＢ）、広帯域（ＷＢ）、超広帯域（ＳＷＢ）または全帯域（ＦＢ）のサポートされる帯域幅のうちの１つでサポートされる、
［Ｃ１３］に記載の方法。
［Ｃ１９］
前記復号オーディオ信号は、０ｋＨｚ〜２０ｋＨｚの間の可聴周波数範囲にわたってサポートされる、
［Ｃ１８］に記載の方法。
［Ｃ２０］
前記パケットは、予約ビット、フラグビット、消去ビットまたは符号化器テールビットのうちの１つまたは複数を含む、
［Ｃ１３］に記載の方法。
［Ｃ２１］
相互接続するための方法であって、
間欠送信（ＤＴＸ）サポートなしに第１のネットワークから符号化オーディオ信号と前記符号化オーディオ信号に関連するビットレートとを受信することと、
ＤＴＸサポートありで第２のネットワークのためのパケットを生成するために、前記符号化オーディオ信号からあらかじめ選択されたパターンを破棄すること、ここにおいて、前記あらかじめ選択されたパターンは、前記ＤＴＸサポートに基づく、と、
前記第２のネットワークに前記パケットを送ることと
を備える、方法。
［Ｃ２２］
相互接続するための方法であって、
間欠送信（ＤＴＸ）サポートありで第１のネットワークから符号化オーディオ信号と前記符号化オーディオ信号に関連するビットレートとを受信することと、
ＤＴＸサポートなしに第２のネットワークのためのパケットを生成するために、あらかじめ選択されたパターンで前記符号化オーディオ信号を再フォーマッティングすること、ここにおいて、前記あらかじめ選択されたパターンは、前記ＤＴＸサポートに基づく、と、
前記第２のネットワークに前記パケットを送ることと
を備える、方法。
［Ｃ２３］
拡張音声サービス（ＥＶＳ）符号化のための装置であって、
符号化オーディオ信号と前記符号化オーディオ信号に関連するビットレートとを取得するためにオーディオ信号を符号化するための手段と、
前記ビットレートに基づいて前記符号化オーディオ信号のためのソースフォーマットを確立するための手段と、
パケットを生成するためにあらかじめ選択されたパターンで前記符号化オーディオ信号を再フォーマッティングするための手段、ここにおいて、前記パケットの容量は、前記ソースフォーマットに基づく、と
を備える、装置。
［Ｃ２４］
被変調波形を生成するために前記パケットを変調するための手段と、
オーディオ宛先に前記被変調波形を送信するための手段、ここにおいて、前記オーディオ宛先は、オーディオコンシューマである、と
をさらに備える、［Ｃ２３］に記載の装置。
［Ｃ２５］
拡張音声サービス（ＥＶＳ）復号のための装置であって、
パケットに関連するデータレートを取得するための手段と、
前記データレートに基づいて符号化オーディオ信号を復元するために、前記パケットから１つまたは複数のあらかじめ選択されたパターンを破棄するための手段と、
復号オーディオ信号を生成するために前記符号化オーディオ信号を復号するための手段と
を備える、装置。
［Ｃ２６］
オーディオ宛先に前記復号オーディオ信号を送るための手段をさらに備え、前記オーディオ宛先は、スピーカー、ヘッドフォン、記録デバイスまたはデジタルストレージデバイスのうちの１つである、
［Ｃ２５］に記載の装置。
［Ｃ２７］
相互接続するための装置であって、
間欠送信（ＤＴＸ）サポートなしに第１のネットワークから符号化オーディオ信号と前記符号化オーディオ信号に関連するビットレートとを受信するための手段と、
ＤＴＸサポートありで第２のネットワークのためのパケットを生成するために、前記符号化オーディオ信号からあらかじめ選択されたパターンを破棄するための手段、ここにおいて、前記あらかじめ選択されたパターンは、前記ＤＴＸサポートに基づく、と、
前記第２のネットワークに前記パケットを送るための手段と
を備える、装置。
［Ｃ２８］
相互接続するための装置であって、
間欠送信（ＤＴＸ）サポートありで第１のネットワークから符号化オーディオ信号と前記符号化オーディオ信号に関連するビットレートとを受信するための手段と、
ＤＴＸサポートなしに第２のネットワークのためのパケットを生成するために、あらかじめ選択されたパターンで前記符号化オーディオ信号を再フォーマッティングするための手段、ここにおいて、前記あらかじめ選択されたパターンは、前記ＤＴＸサポートに基づく、と、
前記第２のネットワークに前記パケットを送るための手段と
を備える、装置。
［Ｃ２９］
少なくとも１つプロセッサと、共有プロファイルを記憶するためのメモリと、前記メモリが前記少なくとも１つプロセッサに結合される、コンピュータ実行可能コードとを備えるデバイス上で動作可能な前記コンピュータ実行可能コードを記憶するコンピュータ可読記憶媒体であって、前記コンピュータ実行可能コードは、
符号化オーディオ信号と前記符号化オーディオ信号に関連するビットレートとを取得するためにオーディオ信号を符号化することを前記少なくとも１つのプロセッサに行わせるための命令と、
前記ビットレートに基づいて前記符号化オーディオ信号のためのソースフォーマットを確立することを前記少なくとも１つのプロセッサに行わせるための命令と、
パケットを生成するためにあらかじめ選択されたパターンで前記符号化オーディオ信号を再フォーマッティングすることを前記少なくとも１つのプロセッサに行わせるための命令、ここにおいて、前記パケットの容量は、前記ソースフォーマットに基づく、と
を備える、コンピュータ可読記憶媒体。
［Ｃ３０］
少なくとも１つプロセッサと、共有プロファイルを記憶するためのメモリと、前記メモリが前記少なくとも１つプロセッサに結合される、コンピュータ実行可能コードとを備えるデバイス上で動作可能な前記コンピュータ実行可能コードを記憶するコンピュータ可読記憶媒体であって、前記コンピュータ実行可能コードは、
パケットに関連するデータレートを取得することを前記少なくとも１つのプロセッサに行わせるための命令と、
前記データレートに基づいて符号化オーディオ信号を復元するために前記パケットから１つまたは複数のあらかじめ選択されたパターンを破棄することを前記少なくとも１つのプロセッサに行わせるための命令と、
復号オーディオ信号を生成するために前記符号化オーディオ信号を復号することを前記少なくとも１つのプロセッサに行わせるための命令と
を備える、コンピュータ可読記憶媒体。
【図１】
0006759241.tif 000007
【図２】
0006759241.tif 000008
【図３】
0006759241.tif 000009
【図４】
0006759241.tif 000010
【図５】
0006759241.tif 000011
【図６Ａ】
0006759241.tif 000012
【図６Ｂ】
0006759241.tif 000013
【図７】
0006759241.tif 000014
【図８Ａ】
0006759241.tif 000015
【図８Ｂ】
0006759241.tif 000016
【図８Ｃ】
0006759241.tif 000017
【図９ａ】
0006759241.tif 000018
【図９ｂ】
0006759241.tif 000019
【図９ｃ】
0006759241.tif 000020
【図１０】
0006759241.tif 000021
【図１１】
0006759241.tif 000022
【図１２】
0006759241.tif 000023
【図１３】
0006759241.tif 000024
【図１４】
0006759241.tif 000025
【図１５】
0006759241.tif 000026
【図１６ａ】
0006759241.tif 000027
【図１６ｂ】
0006759241.tif 000028
【図１７】
0006759241.tif 000029
【図１８】
0006759241.tif 000030
【図１９】
0006759241.tif 000031
【図２０】
0006759241.tif 000032